(57)【要約】本明細書では、例えば、無線通信ネットワーク（１）における通信をハンドリングするＵＥ（１０）によって実行される方法であって、ＵＥ(１０）とセカンダリノード（１３）との間の第２の無線インタフェース上でセカンダリセルグループ（ＳＣＧ）を用いてセカンダリノード（１３）を通じ、及びＵＥ(１０）とマスタノード（１２）との間の第１の無線インタフェース上でマスタセルグループ（ＭＣＧ）を用いてマスタノード（１３）を通じ、ユーザ装置（１０）とデュアルコネクティビティ（ＤＣ）通信を提供する。ＵＥはＳＣＧに関連する障害を検出し、ＳＣＧに関連するアクションを一時停止する。ＵＥはさらに、ＳＣＧ設定を含むＭＣＧ無線リソース制御（ＲＲＣ）メッセージを受信した場合、ＳＣＧの再設定を実行し、ＳＣＧの再設定を実行することは、再設定を適用することと、一時停止されたＳＣＧに関連するアクションを再開するか又は再開しないこととを含む。
2021502734.tif 000002
【特許請求の範囲】
【請求項１】
無線通信ネットワーク（１）において通信をハンドリングするためのユーザ装置ＵＥ（１０）によって実行される方法であって、ＵＥ(１０）とマスタノード（１２）との間の第１の無線インタフェース上でマスタセルグループ（ＭＣＧ）を用いて前記マスタノード（１２）を通じ、及び、前記ＵＥ(１０）とセカンダリノード（１３）との間の第２の無線インタフェース上でセカンダリセルグループ（ＳＣＧ）を用いて前記セカンダリノード（１３）を通じ、デュアルコネクティビティ（ＤＣ）通信を提供する方法であって、前記方法は、
前記ＳＣＧに関連する障害を検出することと（５０１）、
前記ＳＣＧと関連するアクションを一時停止することと（５０２）、
ＳＣＧ設定を含むＭＣＧ無線リソース制御（ＲＲＣ）メッセージを受信すると、前記ＳＣＧの再設定を実行すること（５０３）であって、ＳＣＧの前記再設定を実行することは前記再設定を適用することと、前記ＳＣＧに関連する一時停止されたアクションを再開するか又は再開しないこととを含む、ことと（５０３）、
を含む方法。
【請求項２】
請求項１に記載の方法であって、
前記ＳＣＧのための前記ＲＲＣメッセージは、前記マスタノード（１２）からのＲＲＣメッセージ内に埋め込まれて受信される、方法。
【請求項３】
請求項１又は２に記載の方法であって、
前記第１の無線インタフェースは第１の無線アクセス技術を使用し、前記第２の無線インタフェースは第２の無線アクセス技術を使用し、前記第１の無線アクセス技術は前記第２の無線アクセス技術とは異なる、方法。
【請求項４】
請求項１乃至３の何れか１項に記載の方法であって、
前記ＳＣＧの前記再設定を実行することは、前記ＵＥ(１０）がＲＲＣ完了メッセージを送信し始めたか否かに基づいて前記再設定を適用することを含む、方法。
【請求項５】
請求項１乃至４の何れか１項に記載の方法であって、
ＳＣＧ設定の前記再設定を実行することは、前記ＳＣＧのためのＲＲＣメッセージ内のＲＲＣ完了メッセージを前記セカンダリノード（１３）に直接送信すること、又はＲＲＣメッセージ内に埋め込まれたＲＲＣ完了メッセージをマスタノード（１２）に送信することを含む、方法。
【請求項６】
請求項１乃至５の何れか１項に記載の方法であって、
ＳＣＧの前記再設定を実行することは、ＳＣＧリンク、スプリットデータ無線ベアラのＳＣＧ部分、ＳＣＧ信号無線ベアラ、ＳＣＧ無線上での送信及び／又は受信、及び／又はデータ若しくは制御シグナリングの前記セカンダリノード（１３）への送信のいずれかを再開することによって、前記一時停止されたアクションを再開することを含む、方法。
【請求項７】
無線通信ネットワーク（１）における通信をハンドリングするためのマスタノード（１２）によって実行される方法であって、前記マスタノード（１２）はセカンダリノードと協働して動作するように構成され、ユーザ装置ＵＥ(１０）と前記マスタノード（１２）との間の第１の無線インタフェース上でマスタセルグループ（ＭＣＧ）を用いて前記マスタノード（１２）を通じ、及び前記ＵＥ(１０）と前記セカンダリノード（１３）との間の第２の無線インタフェース上でセカンダリセルグループ（ＳＣＧ）を用いて前記セカンダリノード（１３）を通じ、前記ＵＥ（１０）とのデュアルコネクティビティ（ＤＣ）通信を提供し、前記方法は、
前記ＵＥ(１０）から、前記ＳＣＧに関連する障害を示す指示を受信することと（５１１）、
１つ以上の条件が満たされているかどうかに基づいて前記障害をハンドリングすること（５１２）であって、前記障害をハンドリングすることは、前記障害のハンドリングを延期することと、前記ＳＣＧへの再設定を実行することと、前記障害を無視することと、前記ＵＥ(１０）を異なるセカンダリノードに移動させることと、前記セカンダリノード（１３）に再設定応答メッセージを提供することとのうちの１つ以上を実行することを含む、ことと（５１２）、
を含む、方法。
【請求項８】
請求項７に記載の方法であって、
前記１つ以上の条件は、前記マスタノード（１２）が前記セカンダリノードに向かう前記ＳＣＧのための前記ＵＥ(１０）の保留中の再設定を有するかどうかを含む、方法。
【請求項９】
請求項７に記載の方法であって、
前記１つ以上の条件は、前記セカンダリノード（１３）からの再設定メッセージにおいて、モビリティフラグが真又は偽に設定されているかどうかを含む、方法。
【請求項１０】
請求項７に記載の方法であって、
前記１つ以上の条件は、前記マスタノード（１２）が前記障害を示す前記指示を受信する前に、前記ＳＣＧのための再設定メッセージを送信し始めたかどうかを含む、方法。
【請求項１１】
請求項７に記載の方法であって、
前記１つ以上の条件は、前記マスタノード（１２）が前記ＳＣＧのための再設定メッセージを送信し、前記障害を示す前記指示を受信する前に再設定応答メッセージを受信したか否かを含む、方法。
【請求項１２】
請求項７に記載の方法であって、
前記１つ以上の条件は、前記ＳＣＧの最近の再設定が前記マスタノード（１２）を介して直接送信されたか否かを含む、方法。
【請求項１３】
請求項７乃至１２の何れか１項に記載の方法であって、
前記ＭＣＧのための無線リソース制御（ＲＲＣ）メッセージ内に埋め込まれた、前記ＳＣＧのためのＲＲＣメッセージを、前記ＵＥ(１０）へ送信することを含む、方法。
【請求項１４】
請求項７乃至１３の何れか１項に記載の方法であって、
前記第１の無線インタフェースは第１の無線アクセス技術を使用し、前記第２の無線インタフェースは第２の無線アクセス技術を使用し、前記第１の無線アクセス技術は前記第２の無線アクセス技術とは異なる、方法。
【請求項１５】
無線通信ネットワーク（１）のユーザ装置ＵＥ（１０）の通信をハンドリングするためのセカンダリノード（１３）によって実行される方法であって、前記セカンダリノード（１３）は、前記ＵＥ(１０）と前記セカンダリノード（１３）との間の第２の無線インタフェース上でセカンダリセルグループ（ＳＣＧ）を用いて前記セカンダリノード（１３）を通じ、及び前記ＵＥ(１０）とマスタノード（１２）との間の第１の無線インタフェース上でマスタセルグループ（ＭＣＧ）を用いて前記マスタノード（１３）を通じ、前記ＵＥ（１０）とデュアルコネクティビティ（ＤＣ）通信を提供するために、マスタノードと協働して動作するように構成され、前記方法は、
モビリティフラグを含むＳＣＧ再設定メッセージを前記ＵＥ（１０）に送信すること（５２１）であって、前記再設定が前記セカンダリノード内のモビリティに関係する場合には前記モビリティフラグが真に設定され、前記再設定が前記セカンダリノード内のモビリティに関係しない場合には前記モビリティフラグが偽に設定されるか又は含まれない、こと（５２１）
を含む方法。
【請求項１６】
無線通信ネットワーク（１）において通信をハンドリングするためのユーザ装置ＵＥ（１０）であって、ＵＥ(１０）とマスタノード（１２）との間の第１の無線インタフェース上でマスタセルグループ（ＭＣＧ）を用いて前記マスタノード（１２）を通じ、及び、前記ＵＥ(１０）とセカンダリノード（１３）との間の第２の無線インタフェース上でセカンダリセルグループ（ＳＣＧ）を用いてセカンダリノード（１３）を通じ、デュアルコネクティビティ（ＤＣ）通信を提供し、前記ＵＥ（１０）は、
前記ＳＣＧに関連する障害を検出し、
前記ＳＣＧと関連するアクションを一時停止し、
前記再設定を適用するように構成されることによって、ＳＣＧ設定を含むＭＣＧ無線リソース制御（ＲＲＣ）を受信すると、前記ＳＣＧの再設定を実行し、前記ＳＣＧに関連する前記一時停止したアクションを再開するか又は再開しない、
ように構成されるユーザ装置。
【請求項１７】
請求項１６に記載のユーザ装置であって、
前記ＳＣＧのための前記ＭＣＧ ＲＲＣメッセージは、前記マスタノード（１２）から前記ＲＲＣメッセージ内に埋め込まれて受信される、ユーザ装置。
【請求項１８】
請求項１６又は１７に記載のユーザ装置であって、
前記第１の無線インタフェースは第１の無線アクセス技術を使用し、前記第２の無線インタフェースは第２の無線アクセス技術を使用し、前記第１の無線アクセス技術は前記第２の無線アクセス技術とは異なる、ユーザ装置。
【請求項１９】
請求項１６乃至１８の何れか１項に記載のユーザ装置であって、
前記ＵＥは、前記ＵＥ(１０）がＲＲＣ完了メッセージの送信を開始したかどうかに基づいて前記再設定を適用することによって、ＳＣＧの前記再設定を実行するように構成される、ユーザ装置。
【請求項２０】
請求項１６乃至１９の何れか１項に記載のユーザ装置であって、
前記ＵＥは、前記ＳＣＧに対するＲＲＣメッセージ内のＲＲＣ完了メッセージを、前記セカンダリノード（１３）に直接送信するか、又はＲＲＣメッセージ内に埋め込んで前記マスタノード（１２）に送信するように構成されることによって、前記ＳＣＧの前記再設定を実行するように構成される、ユーザ装置。
【請求項２１】
請求項１６乃至２０の何れか１項に記載のユーザ装置であって、
前記ＵＥは、ＳＣＧリンク、スプリットデータ無線ベアラのＳＣＧ部分、ＳＣＧシグナリング無線ベアラ、ＳＣＧ無線上での送信及び／又は受信、及び／又はデータ若しくは制御シグナリングの前記セカンダリノード（１３）への送信を再開することによって、前記ＳＣＧに関連する一時停止されたアクションを再開するように構成されることによって、ＳＣＧの前記再設定を実行するように構成される、ユーザ装置。
【請求項２２】
無線通信ネットワーク（１）における通信をハンドリングするためのマスタノード（１２）であって、前記マスタノード（１２）はセカンダリノードと協働して動作するように構成され、ユーザ装置ＵＥ(１０）と前記マスタノード（１２）との間の第１の無線インタフェース上でマスタセルグループ（ＭＣＧ）を用いて前記マスタノード（１２）を通じ、及び前記ＵＥ(１０）と前記セカンダリノード（１３）との間の第２の無線インタフェース上でセカンダリセルグループ（ＳＣＧ）を用いて前記セカンダリノード（１３）を通じ、前記ＵＥ（１０）とのデュアルコネクティビティ（ＤＣ）通信を提供し、前記マスタノードは、
前記ＳＣＧに関連する障害を示す指示を前記ＵＥ(１０）から受信し、
１つ以上の条件が満たされているかどうかに基づいて前記障害をハンドリングし、前記障害をハンドリングすることは、前記障害のハンドリングを延期することと、前記ＳＣＧへの再設定を実行することと、前記障害を無視することと、前記ＵＥ(１０）を異なるセカンダリノードに移動させることと、前記セカンダリノード（１３）に再設定応答メッセージを提供することとのうちの１つ以上を実行することを含む、
ように構成される、マスタノード。
【請求項２３】
請求項２２に記載のマスタノード（１２）であって、
前記１つ以上の条件は、前記マスタノード（１２）が前記セカンダリノードに向かう前記ＳＣＧのための前記ＵＥ(１０）の保留中の再設定を有するかどうかを含む、マスタノード。
【請求項２４】
請求項２２に記載のマスタノード（１２）であって、
前記１つ以上の条件は、前記セカンダリノード（１３）からの再設定メッセージにおいてモビリティフラグが真又は偽に設定されているかどうかを含む、マスタノード。
【請求項２５】
請求項２２に記載のマスタノード（２２）であって、
前記１つ以上の条件は、前記マスタノード（１２）が前記障害を示す前記指示を受信する前に、前記ＳＣＧのための再設定メッセージを送信し始めたかどうかを含む、マスタノード。
【請求項２６】
請求項２２に記載のマスタノード（１２）であって、
前記１つ以上の条件は、前記マスタノード（１２）が前記ＳＣＧのための再設定メッセージを送信し、前記障害を示す前記指示を受信する前に再設定応答メッセージを受信したか否かを含む、マスタノード。
【請求項２７】
請求項２２に記載のマスタノード（１２）であって、
前記１つ以上の条件は、前記ＳＣＧの最近の再設定が前記マスタノード（１２）を介して直接送信されたか否かを含む、マスタノード。
【請求項２８】
請求項２２乃至２７の何れか１項に記載のマスタノード（１２）であって、
前記マスタノードは前記ＭＣＧのためのＲＲＣメッセージ内に埋め込まれた、前記ＳＣＧのための無線リソース制御（ＲＲＣ）メッセージを前記ＵＥ(１０）に送信するようにさらに構成される、マスタノード。
【請求項２９】
請求項２２乃至２８の何れか１項に記載のマスタノード（１２）であって、
前記第１の無線インタフェースは第１の無線アクセス技術を使用し、前記第２の無線インタフェースは第２の無線アクセス技術を使用し、前記第１の無線アクセス技術は前記第２の無線アクセス技術とは異なる、マスタノード。
【請求項３０】
無線通信ネットワーク（１）のユーザ装置ＵＥ（１０）の通信をハンドリングするためのセカンダリノード（１３）であって、前記セカンダリノード（１３）は、前記ＵＥ(１０）と前記セカンダリノード（１３）との間の第２の無線インタフェース上でセカンダリセルグループ（ＳＣＧ）を用いて前記セカンダリノード（１３）を通じ、及び前記ＵＥ(１０）とマスタノード（１２）との間の第１の無線インタフェース上でマスタセルグループ（ＭＣＧ）を用いて前記マスタノード（１３）を通じ、前記ＵＥ（１０）とデュアルコネクティビティ（ＤＣ）通信を提供するために、マスタノードと協働して動作するように構成され、前記セカンダリノードは、
前記ＵＥ（１０）へモビリティフラグを含むＳＣＧ再設定メッセージを送信し、前記再設定が前記セカンダリノード内のモビリティに関係する場合にはモビリティフラグは真に設定され、前記再設定が前記セカンダリノード内のモビリティに関係しない場合には前記モビリティフラグは偽に設定されるか又は含まれない、
ように構成される、セカンダリノード。
【請求項３１】
無線通信ネットワーク（１）のユーザ装置ＵＥ（１０）の通信をハンドリングするためのセカンダリノード（１３）によって実行される方法であって、前記セカンダリノード（１３）は、前記ＵＥ(１０）と前記セカンダリノード（１３）との間の第２の無線インタフェース上でセカンダリセルグループ（ＳＣＧ）を用いて前記セカンダリノード（１３）を通じ、及び前記ＵＥ(１０）とマスタノード（１２）との間の第１の無線インタフェース上でマスタセルグループ（ＭＣＧ）を用いて前記マスタノード（１３）を通じ、前記ＵＥ（１０）とデュアルコネクティビティ（ＤＣ）通信を提供するために、マスタノードと協働して動作するように構成され、前記方法は、
ＳＣＧ再設定メッセージを前記ＵＥ（１０）へ送信することと（５２２）、
前記ＳＣＧ再設定に対応するＲＲＣ完了メッセージが受信される前に、前記ＳＣＧ設定をフェッチする要求を、前記マスタノード（１２）から受信することと（５２３）、
前記ＳＣＧ再設定メッセージが送信される前にＵＥ１０が設定された以前のＳＣＧ設定メッセージを、前記マスタノード（１２）に送信することと（５２４）
を含む、方法。
【請求項３２】
無線通信ネットワーク（１）のユーザ装置ＵＥ（１０）の通信をハンドリングするためのセカンダリノード（１３）であって、前記セカンダリノード（１３）は、前記ＵＥ(１０）と前記セカンダリノード（１３）との間の第２の無線インタフェース上でセカンダリセルグループ（ＳＣＧ）を用いて前記セカンダリノード（１３）を通じ、及び前記ＵＥ(１０）とマスタノード（１２）との間の第１の無線インタフェース上でマスタセルグループ（ＭＣＧ）を用いて前記マスタノード（１３）を通じ、前記ＵＥ（１０）とデュアルコネクティビティ（ＤＣ）通信を提供するために、マスタノードと協働して動作するように構成され、前記セカンダリノードは、
ＳＣＧ再設定メッセージを前記ＵＥ（１０）へ送信し、
前記ＳＣＧ再設定に対応するＲＲＣ完了メッセージが受信される前に、前記ＳＣＧ設定をフェッチする要求を、前記マスタノード（１２）から受信し、
前記ＳＣＧ再設定メッセージが送信される前にＵＥ１０が設定された以前のＳＣＧ設定メッセージを、前記マスタノード（１２）に送信する、
ように構成される、セカンダリノード。
【発明の詳細な説明】
【技術分野】
【０００１】
本明細書の実施形態は、通信のためのユーザ装置、マスタノード、セカンダリノード、及びその中で実行される方法に関する。ここで説明する特定の実施の形態は、例えばセカンダリセルグループ（ＳＣＧ）障害ハンドリング中の競合状態を回避するための、無線ネットワークにおけるハンドル通信に関する。
【０００２】
一般に、本明細書で使用されるすべての用語は異なる意味が明確に与えられ、かつ／又はそれが使用される文脈から暗示されない限り、関連する技術分野におけるそれらの通常の意味に従って解釈されるべきである。ａ／ａｎ／ｔｈｅ、要素、装置、構成要素、手段、ステップなどへの言及はすべて、特に明記しない限り、要素、装置、構成要素、手段、ステップなどの少なくとも１つのインスタンスを指すものとして率直に解釈されるべきである。本明細書に開示される任意の方法のステップは、ステップが別のステップに続いて又は先行して明示的に記載されていない限り、及び／又は、ステップが別のステップに続いて又は先行していなければならないことが暗黙的である場合、開示される正確な順序で実行される必要はない。本明細書に開示される実施形態のいずれかの任意の特徴は、適切な場合には任意の他の実施形態に適用されてもよい。同様に、任意の実施形態の任意の利点は任意の他の実施形態に適用することができ、その逆もまた同様である。添付の実施形態の他の目的、特徴、及び利点は、以下の説明から明らかになるのであろう。
【０００３】
ＬＴＥでは、無線リソース制御（ＲＲＣ）プロトコルがユーザ装置（ＵＥ）と発展型ノードＢ(ｅＮＢ)などのネットワークノードとの間の無線接続を設定／セットアップし、維持するために使用される。ＵＥはｅＮＢからＲＲＣメッセージを受信すると、当該設定を適用し（「コンパイル」という用語は当該設定の適用を参照するためにも使用されうる）、これが成功した場合、ＵＥはこの応答をトリガーしたＲＲＣメッセージのトランザクションアイデンティティ（ＩＤ）を示すＲＲＣ完了メッセージを生成する。
【０００４】
ＬＴＥリリース８以降、３つのシグナリング無線ベアラ（ＳＲＢ）、すなわち、ＳＲＢ０、ＳＲＢ１、及びＳＲＢ２が、ＵＥとｅＮＢとの間のＲＲＣ及び非アクセス層（ＮＡＳ）メッセージのトランスポート用に利用可能であった。ＳＲＢ１ｂｉｓとして知られる新たなＳＲＢはまた、狭帯域インターネット・オブ・シングス（ＮＢ−ＩｏＴ）におけるデータオーバＮＡＳ(ＤｏＮＡＳ)をサポートするためにｒｅｌ−１３に導入された。
【０００５】
ＳＲＢ０は、共通制御チャネル(ＣＣＣＨ)論理チャネルを使用するＲＲＣメッセージ用であり、ＲＲＣコネクションのセットアップ、ＲＲＣコネクションの再開、ＲＲＣコネクションの再確立のハンドリングに使用される。ＵＥがｅＮＢに接続されると、即ち、ＲＲＣ接続のセットアップ又はＲＲＣ接続の再確立／再開が成功すると、ＳＲＢ１は、ピギーバックされたＮＡＳメッセージを含むＲＲＣメッセージ、及びＳＲＢ２の確立前のＮＡＳメッセージをハンドリングするために使用され、すべて専用制御チャネル（ＤＣＣＨ）論理チャネルを使用する。
【０００６】
ＳＲＢ２は記録された測定情報を含むＲＲＣメッセージのためのものであり、同様にＮＡＳメッセージのためのものでもあり、すべてＤＣＣＨ論理チャネルを使用する。ＳＲＢ２は、記録された測定情報及びＮＡＳメッセージが長く、より緊急でより小さいＳＲＢ１メッセージのブロッキングを引き起こす可能性があるため、ＳＲＢ１よりも低い優先度を有する。ＳＲＢ２は、セキュリティの起動後、常にE-UTRAN(Evolved-UMTS Terrestrial Radio Access Network)によって設定される。
【０００７】
Ｅ−ＵＴＲＡＮは、ＲＲＣ＿ＣＯＮＮＥＣＴＥＤモードにおける多重受信／送信（Ｒｘ/Ｔｘ）ＵＥがＸ２インタフェース上で非理想的なバックホールを介して接続された２つのｅＮＢ、即ち無線基地局に位置する２つの別個のスケジューラによって提供される無線リソースを利用するように設定されることによって、デュアル接続（ＤＣ）動作をサポートする（３ＧＰＰ ３６．３００ｖ．１３．０．０を参照）。「非理想的なバックホール」は、ネットワークノード間のＸ２インタフェースを介するメッセージの転送がパケット遅延及び損失の両方を受ける可能性があることを意味する。
【０００８】
あるＵＥのためのＤＣに関与するｅＮＢは２つの異なる役割を想定することができ、ｅＮＢはマスタｅＮＢ(ＭｅＮＢ)とも称されるマスタノード（ＭＮ）として、又はセカンダリｅＮＢ(ＳｅＮＢ)とも称されるセカンダリノード（ＳＮ）の何れかとして動作することができる。ＤＣでは、ＵＥが１つのＭＮ及び１つのＳＮに接続される。
【０００９】
ＬＴＥ ＤＣでは、特定のベアラが使用する無線プロトコルアーキテクチャがベアラがどのようにセットアップされるかに依存する。３つのベアラタイプ、すなわち、マスタセルグループ（ＭＣＧ）ベアラ、セカンダリセルグループ（ＳＣＧ）ベアラ、およびスプリットベアラが存在する。ＲＲＣはＭＮ内に位置し、ＳＲＢは常にＭＣＧベアラタイプとして設定され、したがって、ＭＮの無線リソースのみを使用する。ノードがＳＮとして動作するときに、ＬＴＥ ＤＣソリューションは当該ＵＥのＵＥ ＲＲＣコンテキストを有さず、全てのそのような信号はＭＮによってハンドリングされる。図１は、ＬＴＥ ＤＣユーザプレーン（ＵＰ）アーキテクチャを示す。
【００１０】
３ＧＰＰでは、５Ｇ用の新たな無線インタフェースに関する研究項目が最近完了し、３ＧＰＰはこの新たな無線インタフェースを標準化する努力を現在続けており、これはしばしば新たな無線（ＮＲ）と略される。ＬＴＥ−ＮＲ ＤＣは、LTE-NRタイトインターネットワーキング（tight interworking）とも称され、現在ｒｅｌ−１５について議論されている。
【００１１】
ここでは、ＬＴＥ  ＤＣからの主な変更を以下に記載する：
・ＳＣＧスプリットベアラとして知られるＳＮからのスプリットベアラの導入。この場合のＳＮはＳｇＮＢ、セカンダリｇＮＢとも称され、ここで、ｇＮＢはＮＲ基地局を示す：
・ＲＲＣのためのスプリットベアラの導入、
・ＳＣＧ ＳＲＢ又は直接ＳＲＢとして知られるＳＮからの直接ＲＲＣの導入。
【００１２】
図２〜４は、ＬＴＥ−ＮＲタイトインターネットワーキングのためのユーザプレーン（ＵＰ）及び制御プレーン（ＣＰ）アーキテクチャを示している。
【００１３】
本明細書の実施形態は、ＭＮノード及びＳＮノードが様々な無線インタフェース技術を適用することができる異なるシナリオに適用されることを理解されるべきである。ＭＮノードは例えば、ＬＴＥ又はＮＲを適用することができ、ＳＮノードは、本明細書の実施形態の主な概念から逸脱することなく、ＬＴＥ又はＮＲのいずれかを使用することもできる。無線インタフェースを介して他の技術を使用することもできる。３ＧＰＰ技術レポートＴＲ ３８．３０４ｖ．０．０．３は、ＭＮ及びＳＮがＮＲ、ＬＴＥ、又はその両方を適用している様々なシナリオ及び組合せを含む。
【００１４】
５Ｇ標準化及び５Ｇ展開の第１のフェーズでは、最も可能性の高いシナリオはＭＮがＬＴＥを適用し、ＳＮが現在標準化中でＮＲと示される新たな無線インタフェースを適用することである。したがって、このシナリオに焦点を当て、本明細書の残りの部分では、用語ＭｅＮＢ及びＳｇＮＢを使用する。
【００１５】
異なるデュアル接続シナリオを区別するために、以下の用語が本明細書を通じて使用されている：
〇ＤＣ：ＬＴＥ ＤＣ、すなわち、ＭＮおよびＳＮの両方がＬＴＥを使用する、
〇ＥＮ−ＤＣ：ＬＴＥがマスタであり、ＮＲがセカンダリであるＬＴＥ−ＮＲデュアル接続、
〇ＮＥ−ＤＣ：ＮＲがマスタであり、ＬＴＥがセカンダリであるＬＴＥ−ＮＲデュアル接続、
〇ＮＲ−ＤＣ（又はＮＲ−ＮＲ ＤＣ):MN及びＳＮの両方がＮＲを使用する、
〇Ｍｕｌｔｉ−ＲＡＴ ＤＣ(ＭＲ−ＤＣ）：ＭＮ及びＳＮが異なる無線アクセス技術（ＲＡＴ）をどこで使用するかを表現する総称。ＥＮ−ＤＣとＮＥ−ＤＣは、ＭＲ−ＤＣの２つの異なる事例である。
【００１６】
既に上述したように、５Ｇ標準化のために導入されたＤＣアプローチは、ＳＲＢのためのスプリットベアラのための解決策を含む（図３及び図４を参照）。そのような「ＲＲＣダイバーシティ」を導入する意図は例えば、インフラストラクチャとＵＥとの間のより良好なモビリティロバスト性及び改善されたメッセージ配信を可能にすることである。例えば、たとえＭｅＮＢ(又はＳｇＮＢ）へのリンクのいずれかが著しく劣化したとしても、最良のリンク上でハンドオーバメッセージ又は他の任意の再設定メッセージを送ることが可能である。また、リンクに誤差が発生しやすい場合に、ＭｅＮＢ とＳｇＮＢの両方で同じメッセージの複製を送信して、関連するメッセージのより良い成功率とより速い配信を達成することも可能である。「ＲＲＣダイバーシティ」のそのような利点は現在のＬＴＥ ＤＣソリューションでは利用可能ではなく、したがって、３ＧＰＰはそのようなＲＲＣダイバーシティを可能にするための課題に着手している。ＲＲＣダイバーシティを有することは、しばしば超高信頼性低遅延通信（ＵＲＬＬＣ）と称される、低遅延の超高信頼性接続にとって特に重要であることがわかる。
【００１７】
図４に見られるように、ＭＮから生成及び／又は送信されるＲＲＣメッセージは、ＭｅＮＢを介して送信するか、又はＸ２インタフェースを介してＳｇＮＢに中継することができる。ＵＥ内の異なる経路を介して受信されたメッセージは、次いで、ＬＴＥパケットデータコンバージェンスプロトコル（ＰＤＣＰ）に結合され、次いで、ＬＴＥ ＲＲＣ受信エンティティに転送され、さらに処理される。アップリンクではＵＥがＬＴＥ ＲＲＣメッセージを生成し、ＵＥはＬＴＥ技術を使用して、ＮＲ無線インタフェースを介してＳｇＮＢに向けて、又はＭＮノードを介して送信することができる。次に、ＳｇＮＢで受信したメッセージは、Ｘ２インタフェースを介してＭｅＮＢノードに転送される。
【００１８】
ＵＥとＳＮとの間のＳＣＧ ＳＲＢの導入の背後にある主な理由の１つは、ＳＮがＭＮとの調整を必要とせずにＵＥを直接設定することができるＳＣＧ再設定シナリオが存在し得ることである。これは、ＳＮ内モビリティ、ＳＮ内セル（SN内はSNの内部を意味する）に関連する測定設定／報告などの場合である。したがって、３ＧＰＰでは、ＳＣＧ ＳＲＢが機能、すなわち、ＤＬにおけるＲＲＣＣｏｎｎｅｃｔｉｏｎＲｅｃｏｎｆｉｇｕｒａｔｉｏｎと、ＵＬにおけるＲＲＣＣｏｎｎｅｃｔｉｏｎＲｅｃｏｎｆｉｇｕｒａｔｉｏｎＣｏｍｐｌｅｔｅおよびＭｅａｓｕｒｅｍｅｎｔＲｅｐｏｒｔとの（サブセット）をサポートすることが合意されている。
【００１９】
ＳＣＧ ＳＲＢとスプリットＳＲＢに加えて、ＬＴＥ−ＮＲタイトインターワーキングでの他の制御信号機構は、埋め込みＲＲＣを使用しており、図４にも例示されている。埋め込みＲＲＣは、２つのケースで使用される：
１．ＳＣＧ ＳＲＢが使用できない場合、
２．ＵＥは、ＮＲ及びＬＴＥレッグ(leg)の両方に影響を及ぼすセッティングで設定されなければならない、すなわち、直接ＳＲＢが利用可能であっても調整が必要とされる。
【００２０】
１つ目のケースでは、ＳｇＮＢはＸ２インタフェースを介してＲＲＣメッセージをＭｅＮＢに送信し、ＭｅＮＢはその後、自身のＲＲＣメッセージに埋め込み、分割されるか或いは分割されずＳＲＢ１を介して送信する。次いで、ＵＥはコンテナＭｅＮＢ ＲＲＣメッセージから埋め込まれたＮＲ ＲＲＣメッセージを抽出し、ＮＲレッグ上で設定を適用する。ＵＬ方向では、ＵＥがＭｅＮＢに向かうＬＴＥ ＲＲＣメッセージにＮＲ ＲＲＣメッセージを埋め込み、ＭｅＮＢはこれから埋め込まれたＮＲ ＲＲＣメッセージを抽出し、それをＳｇＮＢに転送する。
【００２１】
２つ目のケースでは、すなわち、ＭｅＮＢとＳｇＮＢとの間の調整を必要とするメッセージ／設定、例えば、相互（即ちち、異なるものの間）−ＲＡＴ測定設定、ＵＥがＵＥの総バッファリング能力を超えることなくＮＲ及びＬＴＥレッグに割り当てなければならないバッファサイズに影響を及ぼす設定、などの場合、ＳｇＮＢノードはＮＲ設定を送信することができ、ＭｅＮＢ及びＳｇＮＢは両方のレッグの設定に影響を及ぼすため、最終設定を交渉することができ、ＮＲレッグの最終設定は埋込ＮＲ ＲＲＣメッセージを含むＬＴＥ ＲＲＣメッセージを介してＵＥに送信され、最終埋込ＮＲ ＲＲＣメッセージは依然としてＳＮによって生成されている。
【００２２】
ＬＴＥでは、ＵＥは無線リンク障害（ＲＬＦ）が以下のタイミングで検出されると考慮する：
ｉ．所定の時間内にプライマリセル（ＰＣｅｌｌ）に関連付けられた下位レイヤからの同期していない（ＯＯＳ）指示の所定数を検出すると、または、
ｉｉ．メディアアクセス制御（ＭＡＣ）からのランダムアクセス問題指示、又は、
ｉｉｉ．ＳＲＢについて又はデータ無線ベアラ（ＤＲＢ）について再送信の最大数に到達した場合の無線リンク制御（ＲＬＣ）からの指示。
【００２３】
ＲＬＦが検出されると、ＵＥは他の情報の中でもとりわけ、ＲＬＦが検出された瞬間の在圏セル及び隣接セルの測定ステータスを含むＲＬＦレポートを準備し、アイドルモードに進み、選択されたセルが同じ在圏ノード／セル又は別のノード／セルであり得るアイドルモードセル選択手順に従うセルを選択し、ＲＬＦ要因に設定された要因値を用いてＲＲＣ再確立手順を開始する。
【００２４】
ＬＴＥ ＤＣの場合、ＲＬＦ検出手順は（ｉ）において、ＭＮのＰＣｅｌｌのみに関係し、（ｉｉ）におけるＭＡＣはＭＣＧ ＭＡＣエンティティであり、（ｉｉｉ）におけるＲＬＣはＭＣＧ ＲＬＣであり、（ｉｉｉ）におけるＤＲＢはＭＣＧ及びＭＣＧ分割ＤＲＢに対応することを除いて、上述したものと同様である。
【００２５】
一方、ＳＣＧ障害として知られるセカンダリ側の障害は、以下によって検出される：
ａ）上記のi、ii、iiiに従ってＳＣＧの無線リンク障害を検出すると、即ち、プライマリセカンダリセル（ＰＳＣｅｌｌ）のＰｃｅｌｌ、ＳＣＧ ＭＡＣのＭＣＧ ＭＡＣ、およびＳＣＧ ＤＲＢのＭＣＧ／ＭＣＧ−Ｓｐｌｉｔ ＤＲＢを置き換える場合、又は、
ｂ）ＳＣＧ変更の失敗時、即ち、ＵＥにそうするように指示するＲＲＣ接続再設定メッセージを受信した後、一定の時間内にＳＣＧ変更を確定できない場合、又は、
ｃ）ｐｏｗｅｒＣｏｎｔｒｏｌＭｏｄｅが１に設定されているときに最大アップリンク送信タイミングの差を超えたため、ＰＳＣｅｌｌへのアップリンク送信を停止した場合。
【００２６】
ＳＣＧ障害を検出すると、ＵＥは測定レポートも含むＳＣＧ障害情報メッセージをＭＮに送信し、ＭＮは、ＳＮを解放するか、ＳＮ／セルを変更するか、又はＳＣＧを再設定することができる。したがって、ＳＣＧ上の障害は、ＭＣＧ上で実行される再確立につながらない。
【００２７】
３ＧＰＰはＬＴＥ−ＮＲインタワーキングのコンテキスト、即ち、マスタレッグ上のＲＬＦの場合の再設定と、セカンダリレッグ上のＲＬＦの場合のＳＣＧ障害情報及びＳＮの解放／変更／変更／修正を介した回復とにおいて、同じ原理を採用することに同意した。具体的には、以下のように合意されている。
ＳｇＮＢが失敗した場合、ＵＥは、次のようにする。
【００２８】
−全てのＳＣＧ ＤＲＢを一時停止し、ＭＣＧ分割ＤＲＢ及びＳＣＧ分割ＤＲＢのＳＣＧ送信を一時停止する；
−ＭＣＧ分割ＳＲＢについての直接ＳＣＧ ＳＲＢ及びＳＣＧ送信を一時停止する；
−ＳＣＧ−ＭＡＣをリセット
−ＳＣＧ障害情報メッセージを対応する要因値とともにＭｅＮＢへ送信する。
【００２９】
既存の解決策に伴う問題は、ＳＮからの進行中のＳＣＧ再設定と同時にＵＥのＳＣＧ障害が発生した場合である。この結果、２つのタイプの問題が生じる可能性がある：
１．いつＵＥがＳＣＧ障害の検出時に一時停止したＳＣＧリンクを再開すべきであるか、
２．ＵＥとネットワークに応じた最近の有効なＵＥ設定が何であるか、
ａ．ネットワークとＵＥが最近の有効なＵＥ設定について合意していない場合、ネットワークは非常に大きなメッセージの可能性がある完全なＵＥ設定を送信するように、次の再設定時に強制される、
ｂ. ネットワークとＵＥが最近の有効なＵＥ設定について合意している場合、ネットワークは次の再設定時にデルタ（差分）シグナリングを使用でき、これは、有効なＵＥ設定と比較してより効率的である。
【００３０】
本実施形態はＳＣＧ ＳＲＢが設定されておらず、全てのＳＮ ＲＲＣメッセージがＭＣＧ ＳＲＢに埋め込まれて配信される場合、或いは、ＳＣＧ ＳＲＢが設定され、例えば、ＭＣＧとの調整が必要であるために又はＳＣＧ ＳＲＢを介して、埋め込まれたＲＲＣを介してＳＣＧ障害が送信された直前にＵＥに送信された最近のＳＣＧ再設定の場合に関するものである。
【００３１】
ＵＥがＳＣＧ＿ｃｏｎｆｉｇｕｒａｔｉｏｎ＿ｖｅｒｓｉｏｎ１を有し、ＳＮが埋込ＳＲＢを介してＳＣＧ＿ｃｏｎｆｉｇｕｒａｔｉｏｎ＿ｖｅｒｓｉｏｎ２を送信した場合を考える。さらに、ＳＣＧ障害は例えば、ＰＳＣｅｌｌ上のＲＬＦ、ＳＣＧ ＤＲＢ上のＲＬＣ再送信の最大数などに起因して、ＵＥにおいて検出される。
【００３２】
ケース１:ＭＮはＳＣＧ＿ｃｏｎｆｉｇｕｒａｔｉｏｎ＿ｖｅｒｓｉｏｎ２を埋め込むＭＣＧ ＲＲＣメッセージのＵＥへの送信を管理する前に、ＳＣＧ障害情報を受信する。
【００３３】
ケース２:ＭＮはＳＣＧ障害Ｉｎｆｏｒｍａｔｉｏｎを受信したときにＳＣＧ＿ｃｏｎｆｉｇｕｒａｔｉｏｎ＿ｖｅｒｓｉｏｎ２を埋め込むＭＣＧ ＲＲＣメッセージの送信を開始したが、まだ確定していない。たとえば、メッセージの一部がまだスケジュールされておらず、メッセージの一部が下位レイヤの問題により再送信されていた）。
【００３４】
ケース３:ＭＮはＳＣＧ＿ｃｏｎｆｉｇｕｒａｔｉｏｎ＿ｖｅｒｓｉｏｎ２を埋め込むＭＣＧ ＲＲＣメッセージをＵＥに正常に送信したが、当該設定の完了メッセージを待機している間に、ＵＥでＳＣＧ障害が検出された。
【００３５】
ケース３ａ：ＵＥがＳＣＧ＿ｃｏｎｆｉｇｕｒａｔｉｏｎ＿ｖｅｒｓｉｏｎ２をまだ適用している間。
【００３６】
ケース３ｂ：ＵＥがＳＣＧ＿ｃｏｎｆｉｇｕｒａｔｉｏｎ＿ｖｅｒｓｉｏｎ２を適用し、アップリンク（ＵＬ）メッセージが埋め込まれたＳＮに完了メッセージをＭＮに送信したが、当該メッセージがまだＭＮで受信されていない。
【００３７】
ケース３ｃ：ケース３ｂと同じであるが、ＭＮはＵＥからＵＬメッセージを受信したが、下位レイヤ確認応答（ＡＣＫ）を配信しておらず、即ち、ＵＥはメッセージがＭＮに配信されたかどうか依然として確信していない。
【００３８】
全てのケースにおいて、ＳＮ及びＵＥが異なるＳＣＧ設定を有する状況が生じ得る。つまり、ＭＮがＳＮからＵＥのＳＣＧ設定を取得しようとする際に、ＳＮは必ずしもＳＣＧ＿ｃｏｎｆｉｇｕｒａｔｉｏｎ＿ｖｅｒｓｉｏｎ１又はＳＣＧ＿ｃｏｎｆｉｇｕｒａｔｉｏｎ＿ｖｅｒｓｉｏｎ２を提供するわけではない。完了メッセージを受信していないため、ＳＮはＵＥがＳＣＧ＿ｃｏｎｆｉｇｕｒａｔｉｏｎ＿ｖｅｒｓｉｏｎ２を適用したかどうかを認識していない。
【００３９】
ケース１では、ＭＮがＳＣＧ＿ｃｏｎｆｉｇｕｒａｔｉｏｎ＿ｖｅｒｓｉｏｎ２の転送を控えると、ＵＥでＳＣＧ障害が発生したことがわかるため、ＵＥの設定はＳＣＧ＿ｃｏｎｆｉｇｕｒａｔｉｏｎ＿ｖｅｒｓｉｏｎ１に維持される。
【００４０】
一方、ＭＮがＳＣＧ＿ｃｏｎｆｉｇｕｒａｔｉｏｎ＿ｖｅｒｓｉｏｎ２をＵＥに転送すると、ＵＥは設定を適用しようとする。ＬＴＥ ＤＣでは、このような再設定の受信は、ＵＥが以前に送信したＳＣＧ障害に対するネットワークによる応答として、ＵＥによって解釈されます。この場合、ＵＥは、典型的にはＳＣＧ障害で一時停止されるＳＣＧリンクを再開することを決定することができる。しかし、このメッセージはＳＣＧ障害が検出／報告される前にＳＮによって生成されたので、ｍｏｂｉｌｉｔｙＣｏｎｔｒｏｌＩｎｆｏＳＣＧ（ＳＣＧ変更のための）又は解放インジケータ（ＳＣＧ解放）が存在しない可能性があり、ＵＥが依然として同じＳＣＧセル内にあるので、ＳＣＧリンクの再開が機能する可能性が低いことを意味する。しかし、ＳＣＧ＿ｃｏｎｆｉｇｕｒａｔｉｏｎ＿ｖｅｒｓｉｏｎ２がＳＮからのモビリティ設定、例えばＰＳｃｅｌｌの変更であった場合、これは、送信されたばかりのＳＣＧ障害レポートに対する応答としてＵＥによって誤認される可能性もある。ＳＮからのモビリティコマンドは実際にはＳＣＧ問題を解決したかもしれないが、ＭＮはそれを認識していないので、ＳＣＧ障害を処理しようとする。これは、結果として以下を生じさせる：
・不要なシグナリング：ＭＮがＳＮを維持することを決定した場合、ＭＮは例えば、ＳｇＮＢ修正要求と共に、又は別個のメッセージで、測定結果をＳＮに転送することができ、これは、ＳＮがモビリティを適用したばかりであることをＳＮが認識しているので、おそらくＳＮからの実際の修正は行われない；
・不要なＳＮの変更又は解放：ＵＥが実際にＳＣＧを正常に回復した、例えばＰＳセルを変更した場合であっても、ＭＮはＳＮを変更することを決定することができる。この状況はより良好な信号品質を有する他のＳＮが存在しなかった場合に、ＭＮがＳＮを解放することを決定した場合にも同様である。
【００４１】
ケース２における状況はケース１の状況と同じであり、即ち、ＵＥは、再設定メッセージをまだ受信していないので、ケース１に対する上記のすべての考察が依然として適用される。
【００４２】
ケース３では、ＵＥの状態（即ち、ケース３ａ、３ｂ、３ｃ）にかかわらず、ＵＥの動作が完全には明らかではない。しかし、適切にＵＥが実装されていると仮定すると、ＳＣＧ障害が発生した場合、ＵＥは設定の進行中のアプリケーションを中断しないと想定できる。したがって、ケース３ａ及び３ｂは事実上同じである。また、ＵＥの観点から、ケース３ｃも、完了メッセージがＭＮで受信されたかどうかが確かでないという点で、ケース３ａ及び３ｂと同様である。しかし、ネットワークの観点からは、ケース３ｂとケース３ｃは異なっている。なぜならケース３ｃではＵＥが最新の設定を適用したことをネットワークが知っているからである。ＳＣＧ障害情報も完了メッセージもＳＲＢ１を介して送信されるので、ケース３ａ／３ｂでも、ＳＣＧ障害情報は完了メッセージの後にスケジュールされ／送信される。したがって、ネットワークとＵＥは同じ設定、例えばＳＣＧ＿ｃｏｎｆｉｇｕｒａｔｉｏｎ＿ｖｅｒｓｉｏｎ２を有するが、ＭＮが完了メッセージをまだＳＮに転送していないため、ＳＮはまだ認識していない。また、ケース１及び２と同様に、この最新の再設定は既にＳＣＧ障害を解決している可能性があるが、ＭＮはそれを認識しておらず、したがって既に対処されている問題を解決しようとする。
【００４３】
最近のＳＣＧ再設定は埋込ＳＲＢを介して送信されてもよいが、ＳＣＧ ＳＲＢを介しても送信されてもよい。
【００４４】
ケース４：ＳＣＧ＿ｃｏｎｆｉｇｕｒａｔｉｏｎ＿ｖｅｒｓｉｏｎ２がＳＣＧ ＳＲＢを介して送信された。
【００４５】
ケース４ａ：ＳＣＧ障害に起因して、ＵＥはＳＣＧ＿ｃｏｎｆｉｇｕｒａｔｉｏｎ＿ｖｅｒｓｉｏｎ２を受信しなかった。
【００４６】
ケース４ｂ：ＵＥはＳＣＧ＿ｃｏｎｆｉｇｕｒａｔｉｏｎ＿ｖｅｒｓｉｏｎ２とともに再設定メッセージを受信したが、その完了メッセージを送信するように管理していない。
【００４７】
ケース４では、ＵＥがＳＣＧ＿ｃｏｎｆｉｇｕｒａｔｉｏｎ＿ｖｅｒｓｉｏｎ２を適用したかどうかをＳＮノードが知らないことが問題となる。
【００４８】
Intel CorporationによるＲ２−１７１０６２２「ＳＲＢ３ハンドリングに関するさらなる詳細」では、ＵＥが障害前に取得した最近のＲＲＣ ＳＣＧ設定のトランザクションアイデンティティ（ＩＤ）をＳＣＧ障害メッセージに含めるべきであることが提案された。そして、ＭＮはＳＮから最新のＳＣＧ設定を要求する際に、この情報を含むことができる。このようにして、少なくともネットワークは、ＳＣＧ障害時にＵＥが有効と見なす設定を認識するであろう。しかしながら、この解決策には依然として問題がある：
−ＳＣＧ障害レポートと埋込ＳＣＧ＿ｃｏｎｆｉｇｕｒａｔｉｏｎ＿ｖｅｒｓｉｏｎ２の転送は、同じ送信時間隔（ＴＴＩ）の間などに同時に発生する可能性がある。したがって、ＵＥが最新の設定を受信したが、ＳＣＧ障害で以前の設定が示された可能性が依然として存在する；
−埋込ＳＣＧ＿ｃｏｎｆｉｇｕｒａｔｉｏｎ＿ｖｅｒｓｉｏｎ２がＭＮでＳＣＧ障害レポートを受信する前に送信されていない場合、ＭＮはこのメッセージを破棄し、ＳＮから最新のＳＣＧ設定（以前のトランザクションＩＤを示す）を要求してもよい。これは、上述したのと同じ欠点、即ち、ＳＮによって既に解決されている問題をＭＮがハンドリングしようとする問題を有する；
−この解決策では、次の再設定中に障害が発生した場合に備えて、設定が正常に適用された後でもＵＥがＳＣＧ設定トランザクションＩＤの追跡を維持する必要がある。
【００４９】
したがって、ＵＥでどのＳＣＧ＿ｃｏｎｆｉｇｕｒａｔｉｏｎが使用されるかを調整するための問題が以前ある。
【発明の概要】
【発明が解決しようとする課題】
【００５０】
本実施形態の特定の態様は、上記の課題又は他の課題のうちの１つ以上に対する解決策を提供することができる。
本実施形態の目的は、無線通信ネットワーク内のマスタノード及びセカンダリノードに接続されているＵＥの通信を効率的にハンドリングするための仕組みを提供することである。
【００５１】
一態様によれば、本目的はＵＥとマスタノードとの間の第１の無線インタフェース上でＭＣＧを用いてマスタノードを通じ、及び、ＵＥとセカンダリノードとの間の第２の無線インタフェース上でＳＣＧを使用してセカンダリノードを通じ、デュアルコネクティビティ（ＤＣ）通信を提供する無線通信ネットワークにおいて通信をハンドリングするためにＵＥによって実行される方法を提供することによって達成される。ＵＥはＳＣＧに関連する障害を検出し、ＳＣＧに関連するアクションを一時停止する。ＵＥはＳＣＧ設定を含むＭＣＧ ＲＲＣメッセージを受信すると、ＳＣＧの再設定を実行し、ＳＣＧの再設定を実行することは、再設定を適用することと、ＳＣＧに関連する一時停止されたアクションを再開するか又は再開しないこととを含む。
【００５２】
別の態様によれば、本目的は無線通信ネットワークにおいて通信をハンドリングするためのマスタノードによって実行される方法を提供することによって達成され、マスタノードはＵＥとマスタノードとの間の第１の無線インタフェース上でＭＣＧを用いてマスタノードを通じ、ＵＥとセカンダリノードとの間の第２の無線インタフェース上でＳＣＧを用いてセカンダリノードを通じ、ユーザ装置とのＤＣ通信を提供するように、セカンダリノードと協働して動作するように構成される。ＭＮはＵＥから、ＳＣＧに関連する障害を示す指示を受信する。次いで、ＭＮは１つ以上の条件が満たされているかどうかに基づいて障害をハンドリングし、障害をハンドリングすることは、障害のハンドリングを延期することと、ＳＣＧへの再設定を実行することと、障害を無視することと、ＵＥを異なるセカンダリノードに移動させることと、セカンダリノードに再設定応答メッセージを提供することとのうちの１つ以上を実行することを含む。
【００５３】
さらに別の態様によれば、本目的は、無線通信ネットワークにおいてＵＥの通信をハンドリングするためのセカンダリノードによって実行される方法を提供することによって達成され、セカンダリノードは、ＵＥとセカンダリノードとの間の第２の無線インタフェース上でＳＣＧを用いて、セカンダリノードを通じ、ＵＥとマスタノードとの間の第１の無線インタフェース上でＭＣＧを用いてマスタノードを通じ、ＵＥとのＤＣ通信を提供するために、マスタノードと協働して動作するように構成される。ＳＮは、ＵＥに対して、モビリティ・フラグを含むＳＣＧ再設定メッセージを送信し、再設定がセカンダリノード内のモビリティに関連する場合にはモビリティ・フラグが真に設定され、セカンダリノード内のモビリティに関連しない場合にはモビリティ・フラグが偽に設定されるか、又は含まれない。
【００５４】
さらに別の態様によれば、本目的は、ＵＥとＭＮとの間の第１の無線インタフェース上でＭＣＧを用いてＭＮを通じて、及びＵＥとセカンダリノードとの間の第２の無線インタフェース上でＳＣＧを用いてセカンダリノードを通じて、ＤＣ通信を提供する無線通信ネットワークにおいて、通信をハンドリングする、例えば再設定をハンドリングする、又は再設定を実行するためのＵＥを提供することによって達成される。ＵＥはＳＣＧ障害などのＳＣＧに関連する障害を検出し、ＳＣＧに関連するアクションを一時停止するように構成される。ＵＥはＳＣＧ設定を含むＭＣＧ ＲＲＣメッセージの受信時に、再設定を適用するように構成されることによって、ＳＣＧの再設定を実行し、ＳＣＧに関連する一時停止されたアクションを再開するか再開しないように構成される。
【００５５】
さらに別の態様によれば、本目的は無線通信ネットワークにおいて通信をハンドリングするためのマスタノードを提供することによって達成され、マスタノードはＵＥとマスタノードとの間の第１の無線インタフェース上でＭＣＧを用いてマスタノードを通じ、ＵＥとセカンダリノードとの間の第２の無線インタフェース上でＳＣＧを用いてセカンダリノードを通じ、ＵＥとのＤＣ通信を提供するように、セカンダリノードと協働して動作するように構成される。マスタノードは、ＳＣＧに関連する障害を示す指示をＵＥから受信するように設定される。マスタノードはさらに、１つ以上の条件が満たされたかどうかに基づいて障害をハンドリングするように設定され、障害のハンドリングは、障害のハンドリングを延期することと、ＳＣＧへの再設定を実行することと、障害を無視することと、ＵＥを異なるセカンダリノードに移動することと、セカンダリノードに再設定応答メッセージを提供することとのうちの１つ以上を実行することを含む。
【００５６】
別の態様によれば、本目的は無線通信ネットワークにおいてＵＥの通信をハンドリングするためのセカンダリノードを提供することによって達成され、セカンダリノードはＵＥとセカンダリノードとの間の第２の無線インタフェース上でＳＣＧを用いてセカンダリノードを通じ、ＵＥとマスタノードとの間の第１の無線インタフェース上でＭＣＧを用いてマスタノードを通じ、ＵＥとのＤＣ通信を提供するようにマスタノードと協働して動作するように構成される。セカンダリノードは、モビリティフラグを含むＳＣＧ再設定メッセージをＵＥに送信するように構成され、再設定がセカンダリノード内のモビリティに関係する場合はモビリティフラグが真（ｔｒｕｅ）に設定され、再設定がセカンダリノード内のモビリティには関係ない場合はモビリティフラグが偽（ｆａｌｓｅ）に設定されるか、又は含まれない。
【００５７】
本実施形態は、例えばＥＮ−ＤＣなどの異なるＲＡＴのデュアルコネクティビティにおいて、競合状態と不要な再設定を回避する仕組みを導入し、この場合、最近のＳＣＧ再設定メッセージがＳＮからＵＥに対して、例えば、ＭＮ ＲＲＣメッセージ内に埋め込まれるか、又はＳＣＧ ＳＲＢ上で送信されている。これは例えば、ＳＣＧ設定におけるモビリティ情報の存在、又はＳＣＧリンクが再開されるべきであるという明示的な指示に基づいて、ＵＥがいつＳＣＧリンクを再開すべきかについて、ＵＥにおける特定の動作を定義することによって行われる。
【００５８】
さらに、ＵＥがＳＣＧリンクを再開したか否かをＭＮノードがことを保証する仕組みが導入される。これは埋め込まれたＳＮ ＲＲＣメッセージがモビリティに関連するかどうかをＳＮによってＭＮに示させることにより行われ、この場合、ＭＮは（ＳＮモビリティ情報がＳＣＧ障害を解決することができるので）ＳＣＧ障害をハンドリングしようとせず、不要なシグナリング／再設定を引き起こしてしまう。本明細書の実施形態は、ＳＣＧ障害条件がＵＥにおいて適切に解決されることを保証することができる。本明細書の実施形態はさらに、ＵＥ及びＲＡＮ ＲＲＣコンテキストが、障害後に同期又は再同期されることを保証することができる。
【００５９】
前述の実施形態に追加して又は代替として、ＵＥは、ＵＥがＳＣＧリンクを再開した場合に、ＲＲＣ再設定（ＳＣＧ設定を含む）に対する応答メッセージでＭＮに示すことができる。これにより、ＭＮは、以前のＳＣＧ障害を無視することができる。さらに、ＵＥが、障害がＵＥによって検出される前にＳＮによって生成された最新のＳＣＧ再設定を適用したこと、及び完了メッセージがＳＮで受信されたことを保証することを可能にする仕組みが導入される。これは、次の再設定において、より効率的なデルタシグナリングの使用を可能にする。
【００６０】
特定の実施形態は、以下の技術的利点のうちの１つ以上を提供することができる。本実施形態はＳＣＧ障害回復ハンドリングが競合状態をもたらさないことを保証し、これは、無線通信ネットワークの動作がＳＣＧ障害のタイミングに依存し、ＵＥのＳＣＧ設定がターゲットＳＮ及びＵＥで異なることを意味する。また、必要な場合にのみＭＮがＳＣＧ障害をハンドリングすることを保証し、それによって不要なシグナリング及び再設定を防止する。
【図面の簡単な説明】
【００６１】
【図１】ＬＴＥ ＤＣユーザプレーン（ＵＰ）アーキテクチャを示す。
【図２】ＬＴＥ−ＮＲタイトインターワーキングのためのユーザプレーン（ＵＰ）及び制御プレーン（ＣＰ）アーキテクチャを示す。
【図３】ＬＴＥ−ＮＲタイトインターワーキングのためのユーザプレーン（ＵＰ）及び制御プレーン（ＣＰ）アーキテクチャを示す。
【図４】ＬＴＥ−ＮＲタイトインターワーキングのためのユーザプレーン（ＵＰ）及び制御プレーン（ＣＰ）アーキテクチャを示す。
【図５ａ】本実施形態による無線通信ネットワークを示す概略図を示す。
【図５ｂ】本実施形態による方法を示すフローチャートを示す。
【図５ｃ】本実施形態による方法を示すフローチャートを示す。
【図５ｄ】本実施形態による方法を示すフローチャートを示す。
【図６】本実施形態による、組み合わされたシグナリングスキーム及びフローチャートを示す。
【図７】本実施形態による組み合わされシグナリング方式を示す。
【図８】本実施形態による組み合わされシグナリング方式を示す。
【図９】本実施形態による組み合わされシグナリング方式を示す。
【図１０】本実施形態による組み合わされシグナリング方式を示す。
【図１１】本実施形態による組み合わされシグナリング方式を示す。
【図１２】本実施形態によるＭＮを示すブロック図を示す。
【図１３】本実施形態によるＵＥを示すブロック図を示す。
【図１４】本実施形態によるＳＮを示すブロック図を示す。
【図１５】いくつかの実施形態による、中間ネットワークを介してホストコンピュータに接続された電気通信ネットワークを示す。
【図１６】いくつかの実施形態による、基地局を介して部分無線接続を介してユーザ装置と通信するホストコンピュータを示す。
【図１７】いくつかの実施形態による、ホストコンピュータ、基地局、及びユーザ装置を含む通信システムにおいて実施される方法を示す。
【図１８】いくつかの実施形態による、ホストコンピュータ、基地局、及びユーザ装置を含む通信システムにおいて実施される方法を示す。
【図１９】いくつかの実施形態による、ホストコンピュータ、基地局、及びユーザ装置を含む通信システムにおいて実施される方法を示す。
【図２０】いくつかの実施形態による、ホストコンピュータ、基地局、及びユーザ装置を含む通信システムにおいて実施される方法を示す。
【発明を実施するための形態】
【００６２】
ここで、本明細書で企図される実施形態のいくつかを、添付の図面を参照してより完全に説明する。しかしながら、他の実施形態は本明細書に開示された被写体の範囲内に含まれ、開示された被写体は本明細書に記載された実施形態のみに限定されると解釈されるべきではなく、むしろ、これらの実施形態は被写体の範囲を当業者に伝えるために例として提供される。
【００６３】
本明細書の実施形態は、一般に無線通信ネットワークに関する。図５ａは、無線通信ネットワーク１を示す概略図である。無線通信ネットワーク１は、１つ以上の無線アクセスネットワーク（ＲＡＮ）と１つ以上のコアネットワーク（ＣＮ）とを含む。無線通信ネットワーク１は、一つ又は多数の異なる技術を使用することができる。本実施形態はＮＲなどの５Ｇコンテキストにおいて特に興味深い最近の技術傾向に関連するが、複数の実施形態はまた、例えば広帯域符号分割多元接続（ＷＣＤＭＡ）及びＬＴＥなどの既存の無線通信システムのさらなる開発にも適用可能である。
【００６４】
無線通信ネットワーク１では、無線デバイス、例えば、移動局、局（ＳＴＡ）、非アクセスポイント（ｎｏｎ−ＡＰ)ＳＴＡ、無線デバイス及び／又は無線端末などのＵＥ１０は１以上のアクセスネットワーク（ＡＮ）、例えば、ＲＡＮを介して、１以上のコアネットワーク（ＣＮ）と通信する。「ＵＥ」は、任意の端末、無線通信端末、無線デバイス、マシンタイプコミュニケーション（ＭＴＣ）デバイス、デバイスツーデバイス（Ｄ２Ｄ）端末、又はノード、例えばスマートフォン、ラップトップ、携帯電話、センサ、リレー、モバイルタブレット、又は無線ネットワークノードによってサービスされるエリア内の無線ネットワークノードと無線通信を使用して通信することができる任意のデバイスを意味する非限定的な用語であることを当業者には理解されるべきである。
【００６５】
無線通信ネットワーク１は、マスタノードとセカンダリノードを介してデュアルコネクティビティ（ＤＣ）を提供する。したがって、無線通信ネットワーク１は、ＮＲ、ＬＴＥなどの第１の無線アクセス技術（ＲＡＴ）の、地理的領域、第１のサービスエリア１１上で無線カバレッジを提供する、マスタノード（ＭＮ）１２と称される第１の無線ネットワークノードを備える。マスタノード１２は、例えば無線ローカルエリアネットワーク（ＷＬＡＮ）アクセスポイント又はアクセスポイントステーション(ＡＰ ＳＴＡ)などの無線ネットワークノード、アクセスノード、アクセスコントローラ、基地局、例えば、ｇＮｏｄｅＢ(ｇＮＢ)のような無線基地局、発展型ノードＢ(ｅＮＢ、ｅＮｏｄｅ Ｂ)、基地送受信局、無線リモートユニット、アクセスポイント基地局、基地局ルータ、無線基地局の送信装置、スタンドアロンアクセスポイント、又は、使用される第１の無線アクセス技術及び用語に依存して、マスタノード１２によって提供されるエリア内のＵＥと通信することが可能な任意の他のネットワークユニット若しくはノードであってもよい。ＭＮ１２はマスタ在圏ノードと称されてもよく、第１のサービスエリア１１は在圏セルと称されてもよく、ＭＮ１２はＵＥ１０へのＤＬ送信及びＵＥ１０からのＵＬ送信の形態でＵＥ１０と通信する。
【００６６】
無線通信ネットワーク１はさらに、ＬＴＥ、ＮＲ又は類似のものなどの第２の無線アクセス技術（ＲＡＴ）の、地理的領域である第２のサービスエリア１４上で無線カバレッジを提供する、セカンダリノード（ＳＮ）１３として参照される第２の無線ネットワークノードを含む。第１及び第２のＲＡＴは異なるＲＡＴであってもよい。セカンダリノード１２は、例えばＷＬＡＮアクセスポイント又はＡＰ ＳＴＡなどの無線ネットワークノード、アクセスノード、アクセスコントローラ、基地局、例えばｇＮｏｄｅＢ(ｇＮＢ)などの無線基地局、発展型ノードＢ(ｅＮＢ、ｅＮｏｄｅ Ｂ)、基地送受信局、無線リモートユニット、アクセスポイント基地局、基地局ルータ、無線基地局の送信装置、スタンドアロンアクセスポイント、又は使用される第２の送信アクセス技術及び用語に依存して、セカンダリノード１３によって提供されるエリア内のＵＥと通信することが可能な任意の他のネットワークユニット若しくはノードであってもよい。セカンダリノードはセカンダリ在圏ノードと称されてもよく、第２のサービスエリア１４は第２の在圏セルと称されてもよく、ＳＮ１３はＵＥ１０へのＤＬ送信及びＵＥ１０からのＵＬ送信の形態でＵＥ１０と通信する。
【００６７】
サービスエリアは無線カバレッジのエリアを定義するために、セル、ビーム、ビームグループ、又は同様のものとして示され得ることに留意されたい。
【００６８】
ＵＥ１０はＭＮ１２及びＳＮ１３と、例えばデータ及び／又はシグナリング無線ベアラなどのベアラの第１のマスタ設定で、ＭＮ１２に向けて通信するように構成され、第１のセカンダリ設定、例えばセカンダリノード１３に関連するシグナリング及び／又はデータ無線ベアラなどのベアラの第１のＳＣＧ設定を取得する。セカンダリノード１３に関連して、ＵＥ１０とセカンダリノード１３との間の無線インタフェース接続（又はセカンダリノード１３に関連する無線インタフェース）が、これらのベアラに関連するパケットを転送するために使用されることを意味する。
【００６９】
本実施形態はＳＣＧ ＳＲＢが設定されておらず、全てのＳＮ ＲＲＣメッセージがＭＣＧ ＳＲＢに埋め込まれて配信される場合、或いは、ＳＣＧ ＳＲＢが設定され、例えばＭＣＧとの又はＳＣＧ ＳＲＢを介した調整の必要性のために、埋め込まれたＲＲＣを介してＳＣＧ障害が送信された直前にＵＥに送信された最後のＳＣＧ再設定の場合に関連しうる。
【００７０】
本実施形態は埋め込まれたＲＲＣの送信、即ち、最近のＳＣＧ再設定がＭＮ ＲＲＣメッセージ内に埋め込まれて又は含まれてのＵＥ１０への送信に関連する。さらに以下の点に注意されるべきである。
【００７１】
・本明細書で説明される実施形態はＬＴＥがマスタノード（ＥＮ−ＤＣと称する）であるＬＴＥ−ＮＲタイトインタワーキングのケースに焦点を当てているが、本実施形態はまたＮＲがマスタであり、ＬＴＥがセカンダリノード（ＮＥ−ＤＣと称する）であるＮＲ−ＬＴＥ ＤＣなどの他のＤＣケースにも適用可能である；
・ＬＴＥ及びＮＲは、本明細書の説明でカバーされるＲＡＴである。しかしながら、本実施形態は、ＭＮ及びＳＮがＷｉ−Ｆｉ、Ｚｉｇｂｅｅ、ＬｏＲＡ、Ｂｌｕｅｔｏｏｔｈなどの異なるセルラ／無線ＲＡＴを適用する場合の任意のアグリゲーションシナリオにも適用可能である；
・Ｘ２は、ＬＴＥにおけるインタフェース定義に基づいて、ＭＮとＳＮとの間のインタフェースとして参照される。ＬＴＥ−ＮＲインターワーキング及びＮＲ−ＮＲインターワーキングケースでは、このようなインタフェースの正確な名称が例えば、Ｘ２の代わりにＸｎや、Ｘ２ＡＰの代わりに対応するＸｎＡＰプロトコルなど、異なるものになってしまう可能性がある。しかしながら、これは、本実施形態の適用性に影響を与えない。
【００７２】
ここで、本明実施形態によるＤＣ通信を提供する無線通信ネットワーク１において、通信をハンドリングする、例えば再設定を実行するために、ＵＥ１０によって実行される方法のアクションについて、図５ｂに示されるフローチャートを参照して説明する。当該アクションは、以下に記載する順序で行われる必要はなく、任意の適切な順序で行われてもよい。いくつかの実施形態で実行されるアクションは、破線のボックスで記される。デュアルコネクティビティはＵＥ１０とマスタノード１２との間の第１の無線インタフェース上でＭＣＧを用いてマスタノード１２を通じて、及び、ＵＥ１０とセカンダリノード１３との間の第２の無線インタフェース上でＳＣＧを用いてセカンダリノード１３を通じて提供される。第１の無線インタフェースは第１の無線アクセス技術、例えば、ＬＴＥを使用することができ、第２の無線インタフェースは第２の無線アクセス技術、例えば、ＮＲを使用することができる。したがって、第１の無線アクセス技術は、第２の無線アクセス技術とは異なり得る。
【００７３】
アクション５０１．ＵＥ１０はＳＣＧに関連する障害を検出し、例えば、ＳＣＧを使用する送信エラー、ＳＣＧについての無線リンク障害、ＳＣＧの同期障害、ＳＣＧ設定障害、及び／又はＳＣＧ下位レイヤからの整合性チェック障害指示（インジケイション）を検出する。ＵＥ１０は、ＳＣＧに関する無線リンク障害を検出すると、ＳＣＧ変更障害を検出すると、又は最大アップリンク送信タイミングの差分を超えると、ＳＣＧに関連する障害を検出するようにしてもよい。
【００７４】
アクション５０２．ＵＥ１０は、ＳＣＧに関連するアクションを一時停止する。例えば、ＵＥ１０はＳＣＧ及びＳＣＧスプリットデータ無線ベアラを一時停止し、ＳＣＧ ＳＲＢが設定されている場合、ＳＣＧ ＳＲＢを一時停止し、ＵＬ方向のメッセージの宛先にかかわらず、即ち、ＭＣＧスプリットベアラの場合のようにＭＮ１２に向けられていたとしても、ＳＣＧ無線上の送信／受信を一時停止し、及び／又は、例えばスプリットＳＣＧベアラを有し、ＭＮ１２を介してＳＮ１３にデータを送信するために機能するＭＮレッグを使用しない場合に、ＳＮ１３へのデータ又は制御シグナリングの送信を一時停止する。
【００７５】
アクション５０３．ＵＥ１０は、ＳＣＧ設定を有するＭＣＧ ＲＲＣメッセージの受信時に、再設定を適用することにより例えばＳＣＧの再設定を行ってハンドリングし、ＳＣＧに関連する一時停止されたアクションを再開するか又は再開しない。ＭＣＧ ＲＲＣメッセージは、それがＭＣＧレッグ上で受信されたＲＲＣメッセージであることを手段する。したがって、ＳＣＧに対するＲＲＣメッセージは、マスタノード１２からのＲＲＣメッセージ内に埋め込まれて受信されてもよい。例えば、ＵＥ１０はＵＥ１０がＲＲＣ完了メッセージの送信を開始したか否かに基づいて、再設定を適用することにより、ＳＣＧの再設定を実行してもよい。ＵＥ１０は、ＵＥ１０がＳＣＧ障害を検出してＳＣＧを一時停止した後に、再設定を適用することにより、ＵＥ１０がＭＮ ＲＲＣメッセージ内に埋め込まれたＮＲ ＲＲＣメッセージを受信した場合に、ＳＣＧの再設定を実行してもよい。
【００７６】
さらに、ＵＥ１０は、ＳＣＧについてのＲＲＣメッセージでＲＲＣ完了メッセージをセカンダリノード１３に直接送信するか、又はマスターノード１２へのＲＲＣメッセージ内に埋め込むことにより、ＳＣＧの再構成を実行することができる。例えば、ＵＥ１０は再設定の適用が成功したときに、ＭＮ ＲＲＣメッセージ内に埋め込まれたＮＲ ＲＲＣ完了メッセージを送信してもよい。いくつかの実施形態において、ＳＣＧ障害を検出し、ＵＥ１０がＳＣＧ ＳＲＢを介して受信された最近のＳＣＧ再設定に対する保留中のＲＲＣ完了メッセージを有すると、ＵＥ１０は、ＭＮ１２を介して、即ちＭＮ ＲＣメッセージを介して埋め込まれた形でＲＲＣ完了メッセージを送信することによよって、ＳＣＧの再設定を実行することができる。ＵＥ１０はさらに、ＭＮ１２を介して完了メッセージを送信した後に、ＳＣＧ障害情報をＭＮ１２に送信することができる。ＵＥ１０はＭＮ１２を介して完了メッセージを送信した後、適用したばかりの最近のＳＣＧメッセージがＳＮ１３とのモビリティメッセージであって、それを適用してＳＣＧを再開することに成功した場合、ＳＣＧ障害情報をＭＮ１２に送信することを控える。したがって、ＵＥはＳＣＧ障害情報をＭＮ１２に送信する前に、ＳＣＧ障害情報を廃棄することができる。
【００７７】
別の例として、ＵＥ１０は、ＳＣＧに関連する一時停止されたアクションを再開することによって、ＳＣＧの再設定を実行してもよい。いくつかの実施形態では、ＵＥ１０がＳＣＧリンク、分割データ無線ベアラのＳＣＧ部分、ＳＣＧシグナリング無線ベアラ、ＳＣＧ無線上での送信及び／又は受信、及び／又は、セカンダリノード（１３）へのデータの送信若しくは制御シグナリングのいずれかを再開することによってＳＣＧの再設定を実行することができる。いくつかの実施形態では、ＵＥ１０が受信されたＮＲ ＲＲＣメッセージがモビリティを示した場合、一時停止されたＳＣＧリンク又はＳＣＧ確立を再開することによって、又は受信されたＮＲ ＲＲＣメッセージがモビリティを示さなかった場合、一時停止されたＳＣＧリンクを再開しないことによって、ＳＣＧの再設定を実行することができる。
【００７８】
無線通信ネットワーク１において通信をハンドリングするためにマスタノード１２によって実行される方法の動作であって、ここではマスタノード１２が、ＵＥ１０とセカンダリノード１３との間の第１の無線インタフェース上で、ＭＣＧを用いてマスタノード１２を通じて、及びＵＥ１０とセカンダリノード１３との間の第２のラジオインタフェース上で、ＳＣＧを用いてセカンダリノード１３を通じて、ＵＥ１０とＤＣ通信を提供するようにセカンダリノード１３と連携して動作するように構成されており、本実施形態に従って、図５ｃに示されるフローチャートを参照して説明する。当該アクション（動作）は、以下で記載する順序で行われる必要はなく、任意の適切な順序で行われてもよい。いくつかの実施形態で実行されるアクションは、破線のボックスで記される。第１の無線インタフェースは第１の無線アクセス技術、例えば、ＬＴＥを使用することができ、第２の無線インタフェースは第２の無線アクセス技術、例えば、ＮＲを使用することができる。したがって、第１の無線アクセス技術は第２の無線アクセス技術とは異なっていてもよいが、同じＲＡＴであってもよい。
【００７９】
アクション５１１．マスタノード１２はＵＥ１０から、ＳＣＧに関連する障害を示す指示（インジケイション）を受信する。
【００８０】
アクション５１２．マスタノード１２は１つ以上の条件が満たされたかどうかに基づいて障害をハンドリングし、障害をハンドリングすることは、障害のハンドリングを延期することと、ＳＣＧへの再設定を実行することと、障害を無視することと、ＵＥ１０を異なるセカンダリノードに移動することと、セカンダリノード１３に再設定応答メッセージを提供することとのうちの１つ以上を実行することを含む。１つ以上の条件は、マスタノード１２が、セカンダリノード１３へのＳＣＧについてのＵＥ１０に対する保留中の再設定を有するかどうかを含むことができる。１つ以上の条件は、セカンダリノード１３からの再設定メッセージでモビリティフラグが真又は偽に設定されているかどうかを含むことができる。１つ以上の条件は、マスタノード１２が障害を示す指示を受信する前にＳＣＧについての再設定メッセージを送信し始めたかどうかを含むことができる。１つ以上の条件は、マスタノード１２がＳＣＧについての再設定メッセージを送信し、障害を示す指示を受信する前に再設定応答メッセージを受信したか否かを含むことができる。１つ以上の条件は、ＳＣＧの最近の再設定がマスタノード（１２）を介して直接送信されたかどうかを含むことができる。
【００８１】
アクション５１３．マスタノード１２は、ＳＣＧ用のＲＲＣメッセージを、ＭＣＧ用のＲＲＣメッセージ内に埋め込んでＵＥ１０に送信してもよい。
【００８２】
無線通信ネットワーク１においてＵＥ１０の通信をハンドリングするためにセカンダリノード１３によって実行される方法動作であって、セカンダリノード１３は、ＵＥ１０とセカンダリノード１３との間の第２の無線インタフェース上でSＣＧを用いてセカンダリノード１３を通じて、ＵＥ１０とマスタノード１２との間の第１の無線インタフェース上でMＣＧを用いてマスタノード１２を通じて、ＵＥ１０とのＤＣ通信を提供するようにマスタノードと協働して動作するように構成される、本実施形態に係る方法動作を図５ｄに示すフローチャートを参照して以下に説明する。アクション（動作）は、以下に記載する順序で行われる必要はなく、任意の適切な順序で行われてもよい。いくつかの実施形態で実行されるアクションは、破線のボックスで記される。第１の無線インタフェースは第１の無線アクセス技術、例えば、ＬＴＥを使用することができ、第２の無線インタフェースは第２の無線アクセス技術、例えば、ＮＲを使用することができる。したがって、第１の無線アクセス技術は第２の無線アクセス技術とは異なっていてもよいが、同じＲＡＴであってもよい。
【００８３】
アクション５２１．ＳＮ１３はモビリティフラグを含むＳＣＧ再設定メッセージをＵＥ１０に送信し、ここで、再設定がセカンダリノード内のモビリティに関するものである場合は、このモビリティフラグは真に設定され、再設定がセカンダリノード内のモビリティに関するものでない場合には、このモビリティフラグは偽に設定されるか又は含まれない。
【００８４】
アクション５２２．ＳＮ１３は追加的に又は代替的に、ＳＣＧ再設定メッセージをＵＥ１０に送信することができる。
【００８５】
アクション５２３．さらに、ＳＮ１３はＳＣＧ再設定に対応するＲＲＣ完了メッセージが受信される前に、ＳＣＧ設定をフェッチする要求を、マスタノード１２から受信してもよい。
【００８６】
アクション５２４．ＳＮ１３は、ＳＣＧ再設定メッセージが送信される前にＵＥ１０が設定された以前のＳＣＧ設定メッセージを、追加的にマスタノード１２に送信してもよい。
【００８７】
図６は、本明細書のいくつかの実施形態を示す、組み合わされたシグナリングスキーム及びフローチャートである。
【００８８】
アクション６０１．ＳＮ１３は、真又は偽に設定されたモビリティフラグを含む再設定を示す指示をＭＮ１２に送信する。
【００８９】
アクション６０２．ＵＥ１０はセカンダリノードのための、例えば第１の設定の障害などのＳＣＧ障害を検出し、ＳＣＧ障害を示す指示をマスタノード１２に送信することができる。
【００９０】
アクション６０３．マスタノード１２はメッセージを取得すると、例えば、１つ以上の条件が満たされているかどうかに基づいてＳＣＧ障害をハンドリングする。１つ以上の条件は、ＭＮがセカンダリノードに向かうベアラの第２のセカンダリ設定のＵＥのための保留中の再設定を有すること、ＳＮ１３からの再設定メッセージにおいてモビリティフラグが真に設定されること、ＳＮ１３からの再設定メッセージにおいてモビリティフラグが偽に設定されること、ＳＣＧ障害を受信する前に再設定メッセージ、例えば、メッセージ４の送信を開始し、最近のＳＣＧ再設定がＳＣＧ ＳＲＢを介して直接送信されたこと、を含むことができる。
【００９１】
マスタノード１２は、ＳＣＧ障害のハンドリングを延期することと、第２のセカンダリ設定への再設定を実行することと、障害を無視することと、異なるＳＮにＵＥを移動させることと、例えばＳＣＧ障害のハンドリングを延期する際に、ＳＮに再設定応答メッセージを提供することとのうちの１以上を実行することによって、ＳＣＧ障害をハンドリングすることができる。
【００９２】
図７のフローでは、ＳＮから受信したＳＣＧ再設定メッセージ（ステップ２）で示されるように、ＭＮ１２が保留中のＳＣＧ再設定を有する場合、ＭＮ１２はＳＣＧ障害を受信する（ステップ３）。ＭＮとＳＮノードとの間のシグナリングは、Ｘ２、Ｘｎ、又は類似のネットワークインタフェースを介して行うことができる。この場合、モビリティフラグが真に設定されているため、ＭＮは、ＳＮノードから受信したＳＣＧ設定によって障害が解決される可能性があるため、ＳＣＧ障害を無視することを決定する（ステップ４）。このため、ＭＮ１２は、通常のＲＲＣ再設定手順（ＳＣＧ再設定を含む）ステップ５−８を継続する。
【００９３】
ＵＥがＳＣＧリンクのモビリティ情報を含むＳＣＧ設定を受信すると、ＵＥはＳＣＧリンクを再開する。これはまた、ＳＣＧリンクの監視をリセットする。何らかの理由でＳＣＧリンクの再開が失敗する場合、ＵＥは、ＭＮノードに向けて新たなＳＣＧ障害をトリガする。
【００９４】
図８のフローでは、ＭＮ１２は、ＳＮ１３から受信したＳＣＧ再設定メッセージで示されるように、保留中のＳＣＧ再設定を有する場合（ステップ２）、ＳＣＧ障害を受信する（ステップ３）。この場合、モビリティフラグは偽に設定されているか、又は存在しないので、ＭＮ１２はＳＣＧ障害をハンドリングすることを決定する（ステップ４）。この場合、ステップ５において、ＳＣＧ設定をＵＥ１０に配信することに失敗したことを旧ＳＮノード１３にも通知する。これは、ＳＮ１３がＵＥ１０において現在使用されている旧ＳＣＧ設定に戻ることを意味する。
【００９５】
フローの残りは、ＭＮ１２がＵＥ１０を異なるＳＮ１５に移動することによってＳＣＧ障害をハンドリングすることを決定した場合を示す。また、ＭＮ１２がＵＥ１０を同じＳＮ１３（異なるセルの可能性はある）に維持することを決定した場合には、他のケースも考慮することができる。次のオプションの手順を実行できる：
−ステップ６で、ＭＮ１２は、最新の有効なＵＥ設定をフェッチする（このステップは実際にはステップ５と組み合わせることができる）；
−ステップ７において、ＭＮ１２は、新たなＳＮ１５においてＳＮ追加を実行する。ＳＮ追加は、ターゲットノードがＵＥ１０に向けてデルタシグナリングを実行することを可能にする最近の有効なＵＥ設定を含むことができる（変更される必要のないＵＥ設定のパラメータがシグナリングされる必要がないので、デルタシグナリングは「フル設定」より効率的である）。
【００９６】
−ステップ８において、新たなＳＮノード１５は、（ＳＮ追加の確認応答において）ＭＮ１２を介してＵＥ１０に送信されるＳＣＧ設定を生成する；
−ステップ９−１２は、通常のＵＥ設定でと、ＳＣＧ設定がＳＣＧモビリティ情報を含むため、ＵＥ１０がメッセージ９を受信すると、ＵＥ１０が（ステップ１０で）ＳＣＧリンクを再開するという差分を伴うＳＮ追加である。これはまた、ＳＣＧリンク監視をリセットする。何らかの理由でＳＣＧリンクの再開が失敗した場合、ＵＥ１０は、ＭＮ１２に向けて新たなＳＣＧ障害をトリガする。
【００９７】
図９のフローは、モビリティフラグが偽又は存在しないに設定されている場合の別の変形例を示す。この場合、ＭＮ１２がＳＣＧ障害をハンドリングする前に、ＭＮ１２は通常のＳＣＧ再設定を継続する（ステップ４−６）。これは、ＭＮ１２がＳＣＧ障害を受信する（ステップ３）前にメッセージ４を送信し始めた場合に有用であり得る。この場合、ＵＥ１０は新たなＳＣＧ再設定を受け入れるが、例えば、ＳＣＧ設定がＳＣＧモビリティ情報を含まないことがあるので、ＵＥ１０はＳＣＧリンクを再開しない。ステップ６はＳＮ１３が最近送信したＳＣＧ再設定が成功したことをＳＮ１３に知らせる新たなメッセージであってもよく、或いはメッセージ５内に埋め込まれたＲＲＣ完了メッセージの単純な転送であってもよい。
【００９８】
フローの残りは、ＭＮ１２がＵＥ１０を異なるＳＮ１５に移動することによってＳＣＧ障害をハンドリングすることを決定した場合を示す。また、ＭＮ１２がＵＥ１０を同じＳＮ１３（異なるセルの可能性はある）に維持することを決定した場合には、他のケースも考慮することができる。次の任意の手順を実行できる：
−ステップ８では、ＭＮ１２がＳＮ１３からＵＥ１０の最新の有効なＵＥ設定をフェッチする；
−ステップ９において、ＭＮ１２は、異なるＳＮ１５へのＳＮ追加を実行する。ＳＮ追加はターゲットノード、即ち異なるＳＮ１５がＵＥ１０に向けてデルタシグナリングを実行することを可能にする最近の有効なＵＥ設定を含むことができる（変更される必要のないＵＥ設定のパラメータはシグナリングされる必要がないので、デルタシグナリングは「フル設定」より効率的である）；
−ステップ１０において、異なるＳＮ１５は、（ＳＮ追加の確認応答において）ＭＮ１２を介してＵＥ１０に送信されるＳＣＧ設定を生成する；
−ステップ１１−１４は、通常のＵＥ設定と、ＵＥ１０がメッセージ１１を受信するとＳＣＧ設定がＳＣＧモビリティ情報を含むため、ＵＥ１０が（ステップ１１で）ＳＣＧリンクを再開するという差分を伴うＳＮ追加である。これにより、ＳＣＧリンクの監視も再開される。何らかの理由でＳＣＧリンクの再開が失敗した場合、ＵＥ１０は、ＭＮ１２に向けて新たなＳＣＧ障害をトリガする。
【００９９】
図１０のフローは、ＭＮ１２がＳＣＧ設定に関する情報をＳＮ１３から受信しない別の実施形態を示す。この場合、ＭＮ１２がＳＣＧ障害をハンドリングする前に、ＭＮ１２は通常のＳＣＧ再設定を継続する（ステップ４−６）。この実施形態ではＵＥ１０が新たなＳＣＧ設定を受け入れるが、ＭＮ１２から明示的な指示を受信するまでＳＣＧリンクを再開しない（ステップ１１）。
【０１００】
ステップ４−６の後、フローの残りは、ＭＮ１２がＵＥ１０を異なるＳＮ１５に移動させることによってＳＣＧ障害をハンドリングすることを決定した場合を示す。また、ＭＮ１２がＵＥ１０を同じＳＮ１３（異なるセルの可能性がある）に維持することを決定する場合には、他のケースも考慮することができる。次の任意の手順を実行できる：
−ステップ８で、ＭＮ１２は、最新の有効なＵＥ設定をフェッチする；
−ステップ９で、ＭＮ１２は、異なるＳＮ１５へのＳＮ追加を実行する。ＳＮ追加は、異なるＳＮ１５がＵＥ１０に向けてデルタシグナリングを実行することを可能にする最近の有効なＵＥ設定を含むことができる（変更される必要のないＵＥ設定のパラメータはシグナリングされる必要がないため、デルタシグナリングは「フル設定」より効率的である）；
−ステップ１０で、異なるＳＮ１５は、（ＳＮ追加の確認応答において）ＭＮ１２を介してＵＥ１０に送信されるＳＣＧ設定を生成する；
−ステップ１１−１４は通常のＵＥ設定と、ＵＥ１０がメッセージ１１を受信するとＭＮ１２がメッセージ１１に特定の指示（例えば、再開フラグ又は他のもの）を含んでいたため、ＵＥ１０が（ステップ１２で）ＳＣＧリンクを再開することができるという差分を伴うＳＮ追加である。これはまた、ＳＣＧリンクの監視も再開される。何らかの理由でＳＣＧリンクの再開が失敗した場合、ＵＥ１０は、ＭＮ１２に向けて新たなＳＣＧ障害をトリガする。
【０１０１】
図１１のフローは、ＭＮ１２がＳＣＧ設定に関する任意の情報をＳＮ１３から受信しない別の実施形態を示す。この場合、ＭＮ１２がＳＣＧ障害をハンドリングする前に、ＭＮ１２は通常のＳＣＧ再設定を継続する（ステップ４−６）。この実施形態では、ＵＥ１０は、新たなＳＣＧ設定を受け入れるが、ＵＥ１０がＭＮ１２から明示的な指示を受信するまで、ＳＣＧリンクを再開しない（ステップ１１）。
【０１０２】
ステップ４−６の後、フローの残りは、ＭＮ１２がＵＥ１０を異なるＳＮ１５に移動させることによってＳＣＧ障害をハンドリングすることを決定するケースを示す。また、ＭＮ１２がＵＥ１０を同じＳＮ１３（異なるセルの可能性はある）に維持することを決定した場合には、他のケースも考慮することができる。次の任意の手順を実行できる：
−ステップ８で、ＭＮ１２は、最新の有効なＵＥ設定をフェッチする；
−ステップ９で、ＭＮ１２は、異なるＳＮ１５へのＳＮ追加を実行する。ＳＮ追加は、異なるＳＮ１５がＵＥ１０に向けてデルタシグナリングを実行することを可能にする最近の有効なＵＥ設定を含むことができる（変更される必要のないＵＥ設定のパラメータはシグナリングされる必要がないため、デルタシグナリングは「フル設定」より効率的である）；
−ステップ１０で、異なるＳＮ１５は、（ＳＮ追加の確認応答において）ＭＮ１２を介してＵＥ１０に送信されるＳＣＧ設定を生成する；
−ステップ１１−１４は、通常のＵＥ設定と、ＵＥ１０がメッセージ１１を受信すると、ＭＮ１２がメッセージ１１に特定の指示（例えば、再開フラグ又は他のもの）を含んでいたため、ＵＥ１０は（ステップ１２で）ＳＣＧリンクを再開するという差分を伴うＳＮ追加である。これにより、ＳＣＧリンクの監視も再開される。何らかの理由でＳＣＧリンクの再開が失敗した場合、ＵＥ１０は、ＭＮ１２に向けて新たなＳＣＧ障害をトリガする。
【０１０３】
以下は、無線通信ネットワーク１におけるＳＣＧ障害をハンドリングするために開示される実施形態のいくつかの例である。
【０１０４】
オプション１:ＮＲメッセージがモビリティに関するものかどうかを示す第１のフラグがX２メッセージに導入される。
【０１０５】
実施形態１：ＳＮ１３は、ＳＮ１３内のモビリティに関係するＵＥ１０にＳＣＧ再設定（例えば、ＳＣｅｌｌ追加、ＰＳｃｅｌｌ変更など）を送信すると、それを示すフラグを含む。
【０１０６】
実施形態２：実施形態１に係る指示フラグはＸ２ ＲＲＣ転送メッセージにおけるオプションのＩＥであってもよく、真の値は埋込メッセージがモビリティに関連することを示し、偽の値又はＩＥの包含の欠如は当該メッセージがモビリティに関連しないことを示す。
【０１０７】
実施形態３：ＭＮ１２は、ＵＥ１０からＳＣＧ障害情報レポートを受信し、ＭＮ ＲＲＣメッセージ内に埋め込まれたＮＲ ＲＲＣメッセージがＵＥ１０に送信されることを保留中であること、ＳＮ１３が実施形態１によるモビリティフラグを示したことを発見すると、ＳＣＧ障害情報レポートを無視し、代わりに保留中のＮＲ ＲＲＣメッセージをＵＥ１０に転送する。
【０１０８】
実施形態４：ＭＮ１２は、ＵＥ１０からＳＣＧ障害情報レポートを受信し、ＭＮ１２がＭＮ ＲＲＣメッセージ内に埋め込まれたＮＲ ＲＲＣメッセージについてＵＥ１０への送信を開始したか、又はＵＥ１０に送るのに成功したばかりであり、また、当該メッセージをＭＮ１２に転送する際に実施形態１に係るモビリティフラグをＳＮ１３が示しており、当該メッセージに関するＲＲＣ完了メッセージをまだ受け取っていない場合は、ＳＣＧ障害情報レポートを無視する。
【０１０９】
実施形態５：実施形態３又は４に係る実施形態であり、ＭＮ１２は、ＭＮ ＲＲＣメッセージ内に埋め込まれて送信された最近のＮＲ ＲＲＣメッセージに対するＲＲＣ完了メッセージを受信すると、完了メッセージをＳＮ１３に転送する。
【０１１０】
実施形態６：ＭＮ１２は、ＵＥ１０からＳＣＧ障害情報レポートを受信し、ＵＥ１０に送信されるべきＭＮ ＲＲＣメッセージ内に埋め込まれたＮＲ ＲＲＣメッセージが保留中であり、ＳＮ１３が実施形態１に係るモビリティフラグを示していないことを発見すると、ＳＣＧ障害情報レポートのハンドリングを延期し、代わりにＭＮ ＲＲＣメッセージ内に埋め込まれた保留中のＮＲ ＲＲＣメッセージを転送する。
【０１１１】
実施形態７：ＭＮ１２は、ＵＥ１０からＳＣＧ障害情報レポートを受信し、ＭＮ１２はＭＮ ＲＲＣメッセージ内に埋め込まれたＮＲＣメッセージについて、ＵＥ１０への送信を開始したか、又はＵＥ１０への送信に成功したばかりであり、また、ＳＮ１３はＭＮ１２へ当該メッセージを転送する際に実施形態１に係るモビリティフラグを示さず、また、ＭＮ１２はこのメッセージに関するＲＲＣ完了メッセージをまだ受信していないため、ＳＣＧ障害情報レポートのハンドリングを延期する。
【０１１２】
実施形態８：実施形態６又は７に係る実施形態であり、ＭＮ１２は、ＭＮ ＲＲＣメッセージ内に埋め込まれて送信された最近のＮＲ ＲＲＣメッセージに対するＲＲＣ完了メッセージを受信すると、完了メッセージをＳＮ１３に転送する。
【０１１３】
実施形態９：実施形態８に係る実施形態であり、ＭＮ１２が第２のＳＮに変更することを決定し、現在のＳＮ１３に最新のＳＣＧ設定を要求し、ＳＮ１３を解放し、新たなＳＮがデルタ設定を適用できるように、ＳＮ１３から受信した最新のＳＣＧ再設定を示す別のＳＮを追加する。
【０１１４】
実施形態１０：ＭＮ１２は、ＵＥ１０からＳＣＧ障害情報レポートを受信し、ＭＮ ＲＲＣメッセージ内に埋め込まれたＮＲ ＲＲＣメッセージがＵＥ１０に送信されることを保留中であり、かつＳＮ１３が実施形態１によるモビリティフラグを示さなかったことを発見すると、保留中のＲＲＣメッセージを破棄し、ＵＥ１０によって確認応答された最新の設定をＳＮ１３に送信することを示す「以前の」フラグを有する最新のＳＣＧ設定をＳＮ１３に要求し、ＳＮ１３を解放し、解放されたばかりのＳＮ１３から受信されたＳＣＧ設定を示す別のＳＮを追加して、新たなＳＮがデルタ設定を適用できるようにする。
【０１１５】
実施形態１１：実施形態９又は１０に係る実施形態であり、ＭＮ１２は、ＭＮ ＲＲＣメッセージ内に埋め込まれたＳＣＧ再設定メッセージをＵＥ１０に転送する。
【０１１６】
オプション２：Ｘ２メッセージには、ＮＲメッセージがモビリティに関するものであるかどうかを示すフラグは導入されず、代わりに、ＭＮ１２から導入され送信される明示的な再開指示が導入される。
【０１１７】
実施形態１２：ＭＮ１２は、ＵＥ１０からＳＣＧ障害情報レポートを受信し、かつＵＥ１０に送信されるべきＭＮ ＲＲＣメッセージ内に埋め込まれたＮＲ ＲＲＣメッセージが保留中であることを発見すると、ＳＣＧ障害情報レポートの処理を延期し、代わりにＭＮ ＲＲＣメッセージ内に埋め込まれた保留中のＮＲ ＲＲＣメッセージを転送する。
【０１１８】
実施形態１３：ＭＮ１２は、ＵＥ１０からＳＣＧ障害情報レポートを受信し、かつＭＮ１２がＵＥ１０への送信を開始したか、又はＵＥ１０にＭＮ ＲＲＣメッセージ内に埋め込まれたＮＲＣメッセージをちょうど送付に成功したところであり、また、ＭＮ１２が当該メッセージに関するＲＲＣ完了メッセージをまだ受信していない場合、ＳＣＧ障害情報レポートの処理を延期する。
【０１１９】
実施形態１４：実施形態１２又は１３に係る実施形態であり、ＭＮ１２は、ＭＮ ＲＲＣメッセージ内に埋め込まれて送信された最後のＮＲ ＲＲＣメッセージに対するＲＲＣ完了メッセージを受信すると、完了メッセージをＳＮ１３に転送する。
【０１２０】
実施形態１５：実施形態１４に係る実施形態であり、ＭＮ１２がＳＮ１３を変更することを決定し、現在のＳＮ１３に最新のＳＣＧ設定を要求し、ＳＮ１３を解放し、新たなＳＮがデルタ設定を適用できるように、ＳＮ１３から受信した最新のＳＣＧ再設定を示す別のＳＮを追加する。
【０１２１】
実施形態１６：ＭＮ１２は、ＵＥ１０からＳＣＧ障害情報レポートを受信し、ＵＥ１０に送信されるべきＭＮ ＲＲＣメッセージ内に埋め込まれたＮＲ ＲＲＣメッセージが保留中であることを発見すると、保留中のＲＲＣメッセージを破棄し、ＵＥ１０によって確認応答された最新の設定をＳＮ１３に送信することを示す「以前の」フラグを有する最新のＳＣＧ設定をＳＮ１３に要求し、ＳＮ１３を解放し、ＳＮ１３から受信したＳＣＧ設定を示す別のＳＮを追加して、新たなＳＮがデルタ設定を適用できるようにする。
【０１２２】
実施形態１７：実施形態１５又は１６に係る実施形態であり、ＭＮ１２がＭＮ ＲＲＣメッセージ内に埋め込まれたＳＣＧ再設定メッセージをＵＥ１０に転送し、一時停止されたＳＣＧを再開できることをＵＥ１０に示すために、メッセージのＭＮ部分に再開フラグが含まれる。
【０１２３】
実施形態１８：ＭＮ１２は、ＵＥ１０からＳＣＧ障害情報レポートを受信すると、保留中のＮＲ ＲＲＣメッセージを破棄し、ＳＮ１３を解放し、ＵＥ１０をデュアルコネクティビティから外す。これは、上記のオプション１及びオプション２の両方で実行することができる。
【０１２４】
＜ＵＥの実施形態：＞
上記の両方のオプションに適用できる。
【０１２５】
実施形態１９：ＵＥ１０は、ＭＮ ＲＲＣメッセージ内に埋め込まれたＮＲ ＲＲＣメッセージを受信すると、ＳＣＧ障害を検出し、ＳＣＧを一時停止した後に、再設定を適用する。
【０１２６】
実施形態２０：ＵＥ１０は、設定の適用が成功すると、ＭＮ ＲＲＣメッセージ内に埋め込まれたＮＲ ＲＲＣ完了メッセージを送信する。
【０１２７】
オプション１に適用可能であり、ＮＲメッセージがモビリティに関するものであるかどうかを示す第１のフラグがＸ２に導入される。
【０１２８】
実施形態２１：実施形態１９に係る実施形態であり、受信されたＮＲ ＲＲＣメッセージがモビリティを示した場合、ＵＥ１０は、一時停止されたＳＣＧリンク又はＳＣＧ確立を再開する。
【０１２９】
実施形態２２：実施形態１９に係る実施形態であり、受信されたＮＲ ＲＲＣメッセージがモビリティを示さなかった場合、ＵＥ１０は一時停止されたＳＣＧリンクを再開しない。
【０１３０】
オプション２に適用可能であり、ＮＲメッセージがモビリティに関するものであるかどうかを示すフラグがＸ２メッセージに導入されない。
【０１３１】
実施形態２３:実施形態１９に係る実施形態であり、ＭＮ ＲＲＣメッセージが明示的な再開フラグを示す場合にのみ、ＵＥ１０は一時停止されたＳＣＧリンクを再開する。
【０１３２】
実施形態２４：実施形態１９に係る実施形態であり、受信したＮＲ ＲＲＣメッセージが明示的な再開フラグを含まない場合、ＵＥ１０は一時停止されたＳＣＧリンクを再開しない。
上記の両方のオプションに適用できる。
【０１３３】
実施形態２５：実施形態２１または２３に係る実施形態であり、ＵＥ１０は、一時停止されたＳＣＧリンクを再開したことをＬＴＥ又はＮＲ ＲＲＣ完了メッセージ内のＭＮ又はＳＮに示す。
ＳＣＧ ＳＲＢに関連する実施形態、即ち、最近のＳＣＧ再設定が、ＳＣＧ ＳＲＢを介して直接送信された（送信されている）実施形態である。
【０１３４】
＜ＵＥ部：＞
実施形態２６：ＵＥ１０は、ＳＣＧ障害を検出し、かつＳＣＧ ＳＲＢを介して受信された最近のＳＣＧ再設定に対する保留中のＲＲＣ完了メッセージを有する場合、ＭＮ１２を介してＲＲＣ完了メッセージを送信する（即ち、ＭＮ ＲＲＣメッセージを介して埋め込まれる）。
【０１３５】
実施形態２７：ＵＥ１０は、実施形態２６に係るＭＮを介して完了メッセージを送信した後、ＳＣＧ障害情報をＭＮ１２に送信する。
【０１３６】
実施形態２８：ＵＥ１０は、ＭＮを介して完全なメッセージを送信した後、適用されたばかりの最近のＳＣＧメッセージがＳＮ１３を有するモビリティメッセージであって、それを適用することに成功してＳＣＧを再開した場合、実施形態２６に従ってＳＣＧ障害情報をＭＮ１２に送信することを控え、ＳＣＧ障害情報をＭＮ１２に送信する前に、ＳＣＧ障害情報を廃棄する。
【０１３７】
＜ネットワーク部：＞
実施形態２９：ＳＮ１３は、ＳＣＧ設定をＳＮ１３からフェッチする要求を受け取り、かつＳＮ１３がＳＣＧ ＳＲＢを介して送信した最近のＳＣＧ再設定への完了メッセージを待機している場合、以前のＳＣＧ設定（即ち、ＳＮ１３が完了メッセージを受け取った最近のＳＣＧ再設定）でＭＮ１２に応答する。
【０１３８】
実施形態３０：ＳＮ１３は、ＳＮ１３からＳＣＧ設定をフェッチする要求を受け取り、かつＳＮ１３がＳＣＧ ＳＲＢを介して送信した最近のＳＣＧ再設定への完了メッセージをＳＮ１３が待機している場合、オプションで、有効な設定を有していないことを示す空のメッセージ（例えば、空のＳＣＧ設定）でＭＮ１２に応答する。
【０１３９】
実施形態３１：ＭＮ１２は、実施形態３０に係る空のＳＣＧ設定を取得すると、デルタ設定が適用可能でないとみなし、したがって、ＳＮを変更することを決定した場合（即ち、完全な設定のみが適用可能である場合）、ターゲットＳＮに送信するＳＮ追加要求メッセージにＳＣＧ設定を含めない。
【０１４０】
図１２は無線通信ネットワークにおける通信をハンドリングするためのマスタノード１２などの第１の無線ネットワークノードを示すブロック図であり、マスタノード１２はＵＥ１０とマスタノード１２との間の第１の無線インタフェース上でＭＣＧを用いてマスタノード１２を通じ、また、ＵＥ１０とセカンダリノード１３との間の第２の無線インタフェース上でＳＣＧを用いてセカンダリノード１３を通じ、ＵＥ１０とＤＣ通信を提供するように、セカンダリノードと協働して動作するように構成されている。第１の無線インタフェースは第１の無線アクセス技術を使用することができ、第２の無線インタフェースは第２の無線アクセス技術を使用することができ、第１の無線アクセス技術は、第２の無線アクセス技術とは異なるものである。
【０１４１】
マスタノードとセカンダリノードは、ＵＥ１０と通信するように構成されている。マスタノードはＵＥ１０に向かうベアラ、例えばシグナリング及び／又はデータ無線ベアラの第１のマスタ設定で設定されてもよく、ＵＥ１０はセカンダリノード１３に関連するベアラ、例えばシグナリング又はデータ無線ベアラの第１のセカンダリ設定を取得している。即ち、ＭＮ１２はＵＥ１０へのＭＣＧリンクで設定されてもよく、ＵＥ１０はＳＮ１３へのＳＣＧリンクのために設定されてもよく、例えば、ＵＥはセカンダリノードに関連付けられたセカンダリ無線インタフェース設定で設定されている。マスタノード１２は本明細書の方法を実行するように構成された処理回路１２０１、例えば、１以上のプロセッサを備えることができる。ＭＮ１２及び／又は処理回路１２０１は、ＭＣＧのためのＲＲＣメッセージ内に埋め込まれた、ＳＣＧのためのＲＲＣメッセージをＵＥ１０に送信するように構成され得る。
【０１４２】
マスタノード１２は受信回路１２０２、例えば、受信機又はトランシーバを備えてもよい。マスタノード１２、処理回路１２０１、及び／又は受信回路１２０２は、ＳＣＧに関連する障害を示す指示をＵＥ１０から受信するように構成され、例えば、第１のセカンダリ設定の障害を示す指示を受信する。
【０１４３】
マスタノード１２は、ハンドリング回路１２０３を備えることができる。マスタノード１２、処理回路１２０１、及び／又は処理回路１２０３は、１以上の条件が満たされているかどうかに基づいて障害をハンドリングするように構成され、障害をハンドリングすることは、障害のハンドリングを延期することと、ＳＣＧへの再設定を実行することと、障害を無視することと、ＵＥ１０を異なるセカンダリノードに移動させることと、セカンダリノード１３に再設定応答メッセージを提供することとのうちの１以上を実行することを含む。１つ以上の条件は、マスタノード１２がセカンダリノードに向かうＳＣＧのために、ＵＥ１０のための保留中の再設定を有するか否かを含むことができる。１つ以上の条件は、セカンダリノード１３からの再設定メッセージでモビリティフラグが真又は偽に設定されているかどうかを含むことができる。１つ以上の条件は、マスタノード１２が障害を示す指示を受信する前にＳＣＧのための再設定メッセージを送信し始めたかどうかを含むことができる。１つ以上の条件は、マスタノード１２がＳＣＧのための再設定メッセージを送信し、障害を示す指示を受信する前に再設定応答メッセージを受信したか否かを含むことができる。１つ以上の条件は、ＳＣＧの最近の再設定がマスタノード１２を介して直接送信されたかどうかを含むことができる。
【０１４４】
例えば、１つ以上の条件が満たされているかどうかに基づいてＳＣＧ障害をハンドリングするために、１つ以上の条件は、ＭＮ１２は保留中のＳＣＧ再設定を有するか、モビリティフラグがＳＮ１３からの再設定メッセージにおいて真に設定されているか、モビリティフラグがＳＮ１３からの再設定メッセージにおいて偽に設定されているか、ＳＣＧ障害を受信する前に再設定メッセージの送信を開始しているか、最近のＳＣＧ再設定がＳＣＧ ＳＲＢを介して直接送信されたか、を含むことができる。マスタノードは、ＳＣＧ障害のハンドリングを延期することと、第２のセカンダリ設定への再設定を実行することと、障害を無視することと、異なるＳＮにＵＥを移動させることと、例えばＳＣＧ障害のハンドリングを延期する際にＳＮに再設定応答メッセージを提供することとのうちの１つ以上を実行することによって、ＳＣＧ障害をハンドリングすることができる。
【０１４５】
ＭＮ１２は、メモリ１２０５をさらに備える。メモリは、信号強度又は品質、ＵＥのＩＤ、無線ネットワークノードのＩＤ、ＭＳＧ設定、ＳＣＧ設定、フラグ、実行されるときに本明細書で開示される方法を実行するためのアプリケーション、及び同様のものなどの、データを記憶するために使用される１つ以上のユニットを備える。
【０１４６】
ＭＮ１２について本明細書で説明される実施形態に係る方法はそれぞれ、少なくとも１つのプロセッサ上で実行されるときに、ＭＮ１２によって実行されるように、少なくとも１つのプロセッサに本明細書で説明されるアクションを実行させる命令、即ち、ソフトウェアコード部分を含む、例えば、コンピュータプログラム１２０６又はコンピュータプログラムプロダクトの手段によって実装される。コンピュータプログラム１２０６はコンピュータ可読記憶媒体１２０７、例えば、ディスク、ＵＳＢスティック等に記憶することができる。コンピュータプログラムを格納したコンピュータ可読記憶媒体１２０７は少なくとも１つのプロセッサ上で実行されると、ＭＮ１２によって実行されるように、少なとも１つのプロセッサに本明細書で説明されるアクションを実行させる命令を含むことができる。いくつかの実施形態において、コンピュータ可読記憶媒体は、一時的又は非一時的でないコンピュータ可読記憶媒体であってもよい。
【０１４７】
図１３はＵＥとＭＮ１２との間の第１の無線インタフェース上でＭＣＧを用いてＭＮ１２と通じ、ＵＥ１０とセカンダリノード１３との間の第２の無線インタフェース上でＳＣＧを用いてＳＮ１３を通じ、ＤＣ通信を提供する無線通信ネットワークにおける通信をハンドリングするためのユーザ装置１０を示すブロック図である。ＵＥは、マスタノードに向けたベアラの第１のマスタ設定と、セカンダリノードに向けたベアラの第１のセカンダリ設定を有するマスタノード及びセカンダリノードと通信するように構成されてもよい。ＵＥ１０は少なくとも部分的に、ベアラの第２のセカンダリ設定、即ち、セカンダリノードに向けたＳＣＧリンクを示す再設定指示を受信することができる。第１の無線インタフェースは第１の無線アクセス技術を使用することができ、第２の無線インタフェースは第２の無線アクセス技術を使用することができ、第１の無線アクセス技術は第２の無線アクセス技術とは異なる。
【０１４８】
ＵＥ１０は本明細書の方法を実行するように構成される処理回路１３０１、例えば、１つ以上のプロセッサを備えることができる。
【０１４９】
ＵＥ１０は検出回路１３０２、例えば、送信機又は送受信機を備えることができる。ＵＥ１０、処理回路１３０１及び／又は検出回路１３０２は、ＳＣＧ障害のようなＳＣＧに関連する障害を検出するように構成される。
【０１５０】
ＵＥ１０は送信回路１３０４、例えば、送信機又は送受信機を備えることができる。ＵＥ１０、処理回路１３０１及び／又は送信回路１３０４は、第１のセカンダリ設定の障害を示す表示を送信するように構成され得る。
【０１５１】
ＵＥ１０は、ハンドリング回路１３０３を備えてもよい。ＵＥ、処理回路１３０１、及び／又はハンドリング回路１３０４は、ＳＣＧに関連するアクション、例えば、ＳＣＧリンクの一時停止、ＳＣＧスプリットデータ無線ベアラ、ＳＣＧ信号無線ベアラ、ＳＣＧ無線による送信及び／又は受信、及び／又はデータ若しくは制御シグナリングのセカンダリノード１３への送信を一時停止するように構成される。ＵＥ、処理回路１３０１、及び／又はハンドリング回路１３０３は、再設定を適用するように構成されることによって、ＳＣＧ設定を備えるＭＣＧ ＲＲＣメッセージの受信時にＳＣＧの再設定をハンドリング、例えば実行するように構成され、ＳＣＧに関連する一時停止されたアクションを再開するか又は再開しない。ＳＣＧのためのＭＣＧ ＲＲＣメッセージは、ＭＮ１２からのＲＲＣメッセージ内に埋め込まれて受信されてもよい。ＵＥ、処理回路１３０１、及び／又はハンドリング回路１３０３は、１つ以上の条件が満たされているか否かに基づいて、ＳＣＧ障害と表記される第１のセカンダリ設定の障害を実行するように構成され得る。
【０１５２】
ＵＥ、処理回路１３０１、及び／又はハンドリング回路１３０３は、ＵＥ１０がＲＲＣ完了メッセージの送信を開始したか否かに基づいて、再設定を適用することによってＳＣＧの再設定を実行するように構成され得る。
【０１５３】
ＵＥ、処理回路１３０１、及び／又はハンドリング回路１３０３はＳＣＧのためのＲＲＣメッセージ内のＲＲＣ完了メッセージをセカンダリノード１３に直接送信するように、又はＲＲＣメッセージ内に埋め込まれてマスタノード１２に送信するように構成されることによって、ＳＣＧの再設定を実行するように構成され得る。
【０１５４】
ＵＥ、処理回路１３０１、及び／又はハンドリング回路１３０３は、ＳＣＧリンク、スプリットデータ無線ベアラのＳＣＧ部分、ＳＣＧ信号無線ベアラ、ＳＣＧ無線による送信及び／又は受信、及び／又はデータ若しくは制御シグナリングのセカンダリノード（１３）への送信のうちのいずれかを再開することによって、ＳＣＧに関連する一時停止されたアクションを再開するように構成されることによって、ＳＣＧの再設定を実行するように構成され得る。
【０１５５】
ＵＥ、処理回路１３０１、及び／又はハンドリング回路１３０３はＭＮ ＲＲＣメッセージ内に埋め込まれたＲＲＣメッセージを受信すると、ＳＣＧ障害を検出し、ＳＣＧリンクを一時停止した後に、再設定を適用するように構成され得る。
【０１５６】
ＵＥ、処理回路１３０１、及び／又はハンドリング回路１３０３は、設定の適用が成功すると、ＭＮ ＲＲＣメッセージ内に埋め込まれたＲＲＣ完了メッセージを送信するように構成され得る。
【０１５７】
ＵＥ、処理回路１３０１、及び／又はハンドリング回路１３０３は、それによって、受信されたＲＲＣメッセージがモビリティを示した場合、一時停止されたＳＣＧリンクを再開するように構成され得る。
【０１５８】
ＵＥ、処理回路１３０１、及び／又はハンドリング回路１３０３は、それによって、受信されたＲＲＣメッセージがモビリティを示さなかった場合には一時停止されたＳＣＧリンクを再開しないように構成され得る。
【０１５９】
ＵＥ、処理回路１３０１、及び／又はハンドリング回路１３０３は、受信されたＲＲＣメッセージが明示的な再開フラグを含まない場合、一時停止されたＳＣＧリンクを再開しないように構成され得る。
【０１６０】
ＵＥ、処理回路１３０１、及び／又はハンドリング回路１３０３は、一時停止されたＳＣＧリンクを再開したことをＲＲＣ完了メッセージでＭＮ１２又はＳＮ１３に示すように構成され得る。
【０１６１】
ＵＥ、処理回路１３０１、及び／又はハンドリング回路１３０３はＳＣＧ障害を検出し、ＳＣＧ ＳＲＢを介して受信された最近のＳＣＧ再設定に対する保留中のＲＲＣ完了メッセージを有する場合、ＭＮ１２を介してＲＲＣ完了メッセージを送信する（即ち、ＭＮ ＲＲＣメッセージを介して埋め込まれる）ように構成され得る。これは、最近の再設定がセカンダリノード１３から直接受信された場合に該当する可能性がある。
【０１６２】
ＵＥ、処理回路１３０１、及び／又はハンドリング回路１３０３は、ＭＮを介して完了メッセージを送信した後、ＳＣＧ障害情報をＭＮ１２に送信するように構成され得る。これは、最近の再設定がセカンダリノード１３から直接受信された場合に該当する可能性がある。
【０１６３】
ＵＥ、処理回路１３０１、及び／又はハンドリング回路１３０３は、ＭＮを介して完了メッセージを送信した後、それが適用されたばかりの最近のＳＣＧメッセージがＳＮ１３とのモビリティメッセージであった場合、ＭＮ１２へのＳＣＧ障害情報の送信を控えるように構成されてもよく、ＵＥ１０はそれを適用することに成功し、ＳＣＧを再開するように管理しており、ＵＥ、処理回路１３０１、及び／又はハンドリング回路１３０３は、ＭＮ１２にそれを送信する前にＳＣＧ障害情報を廃棄するように構成されてもよい。これは、最近の再設定がセカンダリノード１３から直接受信された場合に該当する可能性がある。
【０１６４】
１つ以上の条件は、ＭＮ１２からのＭＮ ＲＲＣメッセージ内に埋め込まれたＲＲＣメッセージの受信、受信されたＲＲＣメッセージがモビリティを示すか否か、ＵＥ１０が保留中のＳＣＧ再設定を有するか、受信されたＲＲＣメッセージが明示的な再開フラグを含まないか、又は明示的な再開フラグを含んでいないか、及び／又はＲＲＣ完了の送信を開始したか若しくはそうでないか、を含むことができる。
【０１６５】
当該ハンドリングは、障害の指示の送信を延期すること、障害の指示の送信を控えること、完了メッセージをＭＮ１２に送信すること、再設定を適用すること、及び／又は一時停止されたＳＣＧリンクを再開するか又は再開しないことを含むことができる。
【０１６６】
ＵＥ１０は、メモリ１３０５をさらに備える。メモリは、信号強度又は品質、無線ネットワークノードのＩＤ、ＭＳＧ設定、ＳＣＧ設定、フラグ、実行時に本明細書で開示される方法を実行するアプリケーションなどのデータを記憶するために使用される１つ以上のユニットを備える。
【０１６７】
ＵＥ１０について本明細書で説明される実施形態による方法はそれぞれ、少なくとも１つのプロセッサ上で実行されるときに、ＵＥ１０によって実行されるように、少なくとも１つのプロセッサに本明細書で説明されるアクションを実行させる命令、即ち、ソフトウェアコード部分を含み、例えば、コンピュータプログラム１３０６又はコンピュータプログラムプロダクトの手段によって実装される。コンピュータプログラム１３０６はコンピュータ可読記憶媒体１３０７、例えば、ディスク、ＵＳＢスティック等に記憶することができる。コンピュータプログラム上に記憶されたコンピュータ可読記憶媒体１３０７は少なくとも１つのプロセッサ上で実行されるとき、ＵＥ１０によって実行されるように、本明細書に記載する動作を少なくとも１つのプロセッサに実行させる命令を含むことができる。いくつかの実施形態において、コンピュータ可読記憶媒体は、一時的又は非一時的なコンピュータ可読記憶媒体であってもよい。
【０１６８】
図１４は、無線通信ネットワーク１におけるＵＥの通信を処理するためのセカンダリノード１３などの第２の無線ネットワークノードを示すブロック図である。セカンダリノードはマスタノードと協働して動作し、ＵＥ１０とマスタノード１２との間の第１の無線インタフェース上でＭＣＧを用いてセカンダリノード１３を通じ、及びＵＥ１０とマスタノード１２との間の第２の無線インタフェース上でＳＣＧを用いてマスタノードを通じ、ＵＥ１０とのＤＣ通信を提供するように構成される。例えば、マスタノードとセカンダリノードは、ＵＥ１０と通信するように構成される。マスタノード１２は、マスタノードに向けたベアラの第１のマスタ設定、即ち、第１のＭＣＧリンクを有するＵＥ１０で構成され、ＵＥ１０はさらに、セカンダリノード１３に向けたベアラの第１のセカンダリ設定、即ち、第１のＳＣＧリンクで構成されてもよい。
【０１６９】
ＳＮ１３は、本明細書の方法を実行するように構成された処理回路１４０１、例えば１つ以上のプロセッサを備えることができる。
【０１７０】
ＳＮ１３は、送信回路１４０２、例えば、送信機又は送受信機を含んでもよい。ＳＮ１３、処理回路１４０１、及び／又は送信回路１４０２はモビリティフラグを含むＳＣＧ再設定メッセージをユーザ装置に送信するように構成され、再設定がセカンダリノード内のモビリティに関係する場合にはモビリティフラグは真に設定され、再設定がセカンダリノード内のモビリティに関係しない場合にはモビリティフラグは偽に設定されるか又は含まれない。例えば、ＳＮ１３内のモビリティ（例えば、ＳＣｅｌｌ追加、ＰＳｃｅｌｌ変更など）に関係するＳＣＧの再設定をＵＥ１０に送信する際に、ＭＮ１２にそのことを示すフラグを含めて送信する。指示フラグは、Ｘ２ ＲＲＣ転送メッセージ中のオプションのＩＥであってもよく、真の値は埋め込まれたメッセージがモビリティに関係していることを示し、偽の値又はＩＥの包含の欠如はメッセージがモビリティに関係しないことを示すものであってもよい。ＳＮ１３、処理回路１４０１、及び／又は送信回路１４０２は、ＳＣＧ再設定メッセージをユーザ装置１０に送信するように構成することができる。
【０１７１】
ＳＮ１３は、ハンドリング回路１４０３を備えることができる。ＳＮ１３、処理回路１４０１、及び／又は処理回路１４０３は、１つ以上の条件が満たされているかどうかに基づいてＳＣＧ障害をハンドリングするように構成され得る。１つ以上の条件は、ＳＮ１３からＳＣＧ設定をフェッチする要求を受け取る際に、ＳＮ１３がＳＣＧ ＳＲＢを介して送信した最近のＳＣＧ再設定への完了メッセージを待機しているかどうかを含むことができる。ＳＮ１３は例えば、以前のＳＣＧ設定で、及び／又は空のメッセージでＭＮ１２に応答することによって、ＳＣＧ障害をハンドリングすることができる。ＳＮ１３、処理回路１４０１、及び／又はハンドリング回路１４０３はＳＮ３からＳＣＧ設定をフェッチする要求を取得すると、ＳＮ１３がＳＣＧ ＳＲＢを介して送信した最近のＳＣＧ再設定への完了メッセージを待っていた場合、以前のＳＣＧ設定（即ち、ＳＮ１３が完了メッセージを受信した最近のＳＣＧ再設定）でＭＮ１２に応答するように構成され得る。
【０１７２】
ＳＮ１３、処理回路１４０１、及び／又はハンドリング回路１４０３は、ＳＮ１３からＳＣＧ設定をフェッチする要求を取得すると、ＳＮ１３がＳＣＧ ＳＲＢを介して送信した最近のＳＣＧ再設定への完了メッセージをＳＮ１３が待っていた場合、オプションで、有効な設定を有していないことを示す空のメッセージ（例えば、空のＳＣＧ設定）でＭＮ１２に応答するように構成され得る。
【０１７３】
ＳＮ１３、処理回路１４０１、及び／又はハンドリング回路１４０３はＳＣＧ再設定に対応するＲＲＣ完了メッセージが受信される前に、マスタノード１２からＳＣＧ設定をフェッチする要求を受信するように構成され得る。ＳＮ１３、処理回路１４０１、及び／又はハンドリング回路１４０３は、ＳＣＧ再設定メッセージが送信される前にＵＥが設定した以前のＳＣＧ設定メッセージをマスタノード１２に送信するように構成され得る。
【０１７４】
ＳＮ１３は、メモリ１４０５をさらに備える。メモリは、信号強度又は品質、無線ネットワークノードのＩＤ、ＳＣＧ設定、フラグ、実行されると本明細書で開示される方法を実行するアプリケーションなど、データを記憶するために使用される１つ以上のユニットを備える。
【０１７５】
ＳＮ１３について本明細書で説明される実施形態による方法はそれぞれ、少なくとも１つのプロセッサ上で実行されると、ＳＮ１３によって実行されるように、少なくとも１つのプロセッサに本明細書で説明されるアクションを実行させる命令、即ちソフトウェアコード部分を含む、例えばコンピュータプログラム１４０６又はコンピュータプログラムプロダクトの手段によって実装される。コンピュータプログラム１４０６はコンピュータ可読記憶媒体１４０７、例えば、ディスク、ＵＳＢスティック等に記憶することができる。コンピュータプログラムを記憶したコンピュータ可読記憶媒体１４０７は、少なくとも１つのプロセッサ上で実行されると、ＳＮ１３によって実行されるように、少なくとも１つのプロセッサに本明細書で説明する動作を実行させる命令を含むことができる。いくつかの実施形態において、コンピュータ可読記憶媒体は、一時的又は非一時的なコンピュータ可読記憶媒体であってもよい。
【０１７６】
いくつかの実施形態において、コンピュータ可読記憶媒体は、一時的又は非一時的なコンピュータ可読記憶媒体、揮発性又は不揮発性コンピュータ可読メモリ、限定はしないが、永続性記憶装置、ソリッドステートメモリ、リモートマウントメモリ、磁気記憶媒体、光学記憶媒体、ランダムアクセスメモリ（ＲＡＭ）、読取り専用メモリ（ＲＯＭ）、大容量記憶媒体（例えば、ハードディスク）、リムーバブル記憶媒体（例えば、フラッシュドライブ、コンパクトディスク（ＣＤ）又はデジタルビデオディスク（ＤＶＤ））、及び／又は処理回路によって使用される情報、データ、及び／又は命令を記憶する他の任意の揮発性又は不揮発性、非一時的装置可読及び／又はコンピュータ実行可能記憶デバイスであってもよい。デバイス可読媒体は、コンピュータプログラムと、ソフトウェアと、ロジック、ルール、コード、テーブルなどのうちの１つ以上を含むアプリケーションと、及び／又は処理回路によって実行され、ＭＮ１２によって利用されることが可能な他の命令を含む、任意の適切な命令、データ、又は情報を記憶することができる。
【０１７７】
処理回路はマイクロプロセッサ、コントローラ、マイクロコントローラ、中央演算処理装置、デジタル信号プロセッサ、特定用途向け集積回路、フィールドプログラマブルゲートアレイ、又は任意の他の適切なコンピューティングデバイス、リソース、又はハードウェア、ソフトウェア、及び／又は符号化ロジックの組合せのうちの１つ以上の組合せを備えることができ、これらは、単独で、又はデバイス可読媒体機能などの他のＵＥコンポーネントと結合して、のいずれかで提供するように動作可能である。そのような機能は、本明細書で説明される様々な無線機能又は利点のいずれかを提供することを含むことができる。例えば、処理回路は本明細書で開示される機能を提供するために、処理回路内のデバイス可読媒体又はメモリに格納された命令を実行することができる。
【０１７８】
一態様によれば、本明細書の実施形態は、無線通信ネットワークにおいて通信をハンドリングするためにマスタノードによって実行される方法を提供する。無線通信ネットワーク内のマスタノードとセカンダリノードは、ＵＥと通信するように構成される。マスタノードはＵＥに向かうベアラの第１のマスタ設定、例えば、シグナリング及び／又はデータ無線ベアラで設定され、ＵＥはセカンダリノードに関連するベアラの第１のセカンダリ設定、例えば、シグナリング又はデータ無線ベアラを取得しており、例えば、ＵＥは、セカンダリノードに向かうベアラの第１のセカンダリ設定を受信している。即ち、ＭＮはＵＥへのＭＣＧリンクで設定され、ＵＥはＳＮへのＳＣＧリンクのために設定され、例えば、ＵＥはセカンダリノードに関連付けられたセカンダリ無線インタフェース設定で設定されている。マスタノードは第１のセカンダリ設定の障害を示す指示、例えば、無線状態がセカンダリノードへの無線インタフェースを介した通信を維持するのに十分良好ではないことを示す指示を受信する。ＭＮは１つ以上の条件が満たされているかどうかに基づいて、ベアラの設定のＳＣＧ障害又は再設定、即ち、セカンダリノードへのＳＣＧリンクの再設定をハンドリングする。１つ以上の条件は、ＭＮがベアラの第２のセカンダリ設定のＵＥ、すなわち、セカンダリノードに向かうＳＣＧリンクのための保留中の再設定を有するか、モビリティフラグがＳＮからの再設定メッセージにおいて真に設定されているか、モビリティフラグがＳＮからの再設定メッセージにおいて偽に設定されているか、ＳＣＧ障害を受信する前に再設定メッセージの送信を開始したか、再設定メッセージを送信したが、ＳＣＧ障害を受信する前にまだ再設定応答メッセージを受信していないか、再設定メッセージを送信し、ＳＣＧ障害を受信する前に再設定応答メッセージを受信したか、そして、最近のＳＣＧ再設定がＭＮを介して直接送信されたか否かを含むことができる。マスタノードはＳＣＧ障害のハンドリングを延期することと、第２のセカンダリ設定への再設定を実行することと、障害を無視することと、異なるＳＮにＵＥを移動させることと、例えばＳＣＧ障害の処理を延期する際にＳＮに再設定応答メッセージを提供することとのうちの１つ以上を実行することによって、ＳＣＧ障害をハンドリングすることができる。
【０１７９】
別の態様によれば、本明細書の実施形態は、無線通信ネットワークにおいて通信をハンドリングするためにＵＥによって実行される方法を提供する。ＵＥは、マスタノードに向けたベアラの第１のマスタ設定と、セカンダリノードに向けたベアラの第１のセカンダリ設定を有するマスタノード及びセカンダリノードと通信するように設定されている。ＵＥは、第１のセカンダリ設定の障害を検出する。ＵＥは、１つ以上の条件が満たされているかどうかに基づいて、セカンダリノード（第２又は第１のセカンダリ設定など）へのベアラ又はＳＣＧリンクの再設定をハンドリングする。１つ以上の条件は、ＭＮ又はＳＮからのＭＮ ＲＲＣメッセージ内に埋め込まれたＲＲＣメッセージの受信、受信されたＲＲＣメッセージがモビリティを示すか否か、ＵＥ１０が保留中のＳＣＧ再設定を有すること、受信されたＲＲＣメッセージが明示的な再開フラグを含まないか又は明示的な再開フラグを含むこと、及び／又はＲＲＣ完了の送信を開始したか否か、を含むことができる。再設定をハンドリングする方法は、障害の指示の送信を延期することと、障害の指示の送信を控えることと、ＭＮに完了メッセージを送信することと、再設定を適用することと、及び／又は一時停止されたＳＣＧリンク、即ちセカンダリ無線インタフェースの無線設定を再開すること又は再開しないこととを含むことができる。
【０１８０】
本明細書の実施形態のさらに別の態様によれば、無線ネットワーク内の無線デバイスの通信をハンドリングするためにセカンダリノードによって実行される方法が本明細書で提供される。無線通信ネットワークにおけるマスタリノード及びセカンダリノードは、ＵＥと通信するように構成される。セカンダリノードはＵＥに対してベアラの第１のセカンダリ設定（ＳＣＧリンク）で構成され、ＵＥはマスタノードに対してベアラのマスタ設定でさらに構成される。セカンダリノードは、再設定メッセージで真又は偽に設定されたモビリティフラグをＭＮに送信する。セカンダリノードはさらに、１つ以上の条件が満たされているかどうかに基づいて、ＵＥへのベアラの再設定手順、例えば、第２又は第１のセカンダリ設定を処理することができる。当該条件は最近のＳＣＧ再設定がＳＣＧ ＳＲＢを介して直接送信されたことと、ＳＣＧ設定をフェッチする要求を取得し、ＳＮがＳＣＧ ＳＲＢを介して送信した最近のＳＣＧ再設定への完了メッセージを待っていることとを含むことができる。当該条件にはまた、ＭＮノード経由で最近のＳＣＧ再設定が送信されたか、ＳＣＧ設定を取得する要求があり、最近のＳＣＧ再設定への完了メッセージがＭＮノード経由で送信されるのを待機しているかが含まれてもよい。ＳＮは、以前のＳＣＧ設定でＭＮに応答するか、有効な設定がないことをオプションで示す空のＭＮに応答することで、再設定手順をハンドリングしてもよい。
【０１８１】
また、本明細書で開示される方法を実行するように構成されたマスタノード、ＵＥ、及びセカンダリノードが、本明細書で提供される。
【０１８２】
図１５は、いくつかの実施形態に従って中間ネットワークを介してホストコンピュータに接続された電気通信ネットワークを示す。
【０１８３】
図１５を参照すると、一実施形態によれば、通信システムは、無線アクセスネットワークなどのアクセスネットワークＱＱ４１１と、コアネットワークＱ４１４とを含む、３ＧＰＰタイプのセルラネットワークなどの電気通信ネットワークＱＱ４１０を含む。アクセスネットワークＱＱ４１１は、ＮＢ、ｅＮＢ、ｇＮＢ、又は上記のマスタノード及びセカンダリノードの例である他のタイプの無線アクセスポイントなどの複数の基地局ＱＱ４１２ａ、ＱＱ４１２ｂ、ＱＱ４１２ｃを含み、それぞれは、対応するカバレッジエリアＱＱ４１３ａ、ＱＱ４１３ｂ、ＱＱ４１３ｃを定義する。各基地局ＱＱ４１２ａ、ＱＱ４１２ｂ、ＱＱ４１２ｃは、有線又は無線接続Ｑ４１５を介してコアネットワークＱＱ４１４に接続可能である。カバレッジエリアＱＱ４１３ｃに位置する第１のＵＥ ＱＱ４９１は対応する基地局ＱＱ４１２ｃに無線で接続するように、又は対応する基地局ＱＱ４１２ｃによってページングされるように設定される。カバレッジエリアＱＱ４１３ａ内の第２のＵＥ ＱＱ４９２は、対応する基地局ＱＱ４１２ａに無線で接続可能である。複数のＵＥQ４９１、ＱＱ４９２がこの例に示されているが、開示された実施形態は単一のＵＥがカバレッジエリア内にある状況、又は単一のＵＥが対応する基地局ＱＱ４１２に接続している状況にも等しく適用可能である。
【０１８４】
電気通信ネットワークＱＱ４１０はそれ自体がホストコンピュータＱＱ４３０に接続されており、これは、スタンドアロンサーバ、クラウド実装サーバ、分散サーバ、又はサーバファーム内の処理リソースなどの、ハードウェア及び／又はソフトウェアで実行されてもよい。ホストコンピュータＱＱ４３０はサービスプロバイダの所有権又は制御下にあってもよいし、サービスプロバイダによって、又はサービスプロバイダの代わりに操作されてもよい。電気通信ネットワークＱＱ４１０とホストコンピュータＱＱ４３０との間の接続ＱＱ４２１及びＱＱ４２２は、コアネットワークＱ４１４からホストコンピュータＱ４３０に直接拡張してもよく、或いは任意の中間ネットワークＱ４２０を介してもよい。中間ネットワークＱＱ４２０はパブリック、プライベート、又はホストされたネットワークのうちの１つであってもよく、又はその複数の組合せであってもよく、中間ネットワークＱＱ４２０はもしあれば、バックボーンネットワーク又はインターネットであってもよく、特に、中間ネットワークＱＱ４２０は、２つ以上のサブネットワーク（不図示）を含んでもよい。
【０１８５】
図１５の通信システム全体では、接続されたＵＥＱＱ４９１、ＱＱ４９２とホストコンピュータＱＱ４３０との間のコネクティビティを可能とする。コネクティビティは、オーバー・ザ・トップ（ＯＴＴ）節億ＱＱ４５０として記述されうる。ホストコンピュータＱＱ４３０及び接続されたＵＥ ＱＱ４９１、ＱＱ４９２は、アクセスネットワークＱＱ４１１、コアネットワークＱＱ４１４、任意の中間ネットワークＱＱ４２０、及び可能なさらなるインフラストラクチャ（不図示）を媒介として使用して、ＯＴＴ接続ＱＱ４５０を介してデータ及び／又はシグナリングを通信するように構成される。ＯＴＴ接続ＱＱ４５０は、ＯＴＴ接続ＱＱ４５０が通過する参加通信デバイスがアップリンク通信及びダウンリンク通信のルーティングを認識しないという意味で透過的であり得る。例えば、基地局ＱＱ４１２は、接続されたＵＥ ＱＱ４９１に転送される（例えばハンドオーバされる）ホストコンピュータＱＱ４３０から発信されるデータをもつ着信ダウンリンク通信の過去のルーティングについて通知される必要があるか、又は通知される必要がない。同様に、基地局ＱＱ４１２は、ＵＥ ＱＱ４９１からホストコンピュータＱＱ４３０に向けて発信される発信アップリンク通信の将来のルーティングを意識する必要はない。
【０１８６】
図１６：いくつかの実施形態によれば、基地局を介してユーザ装置と部分無線接続を介して通信するホストコンピュータを示す。
【０１８７】
一実施形態による、前の段落で説明したＵＥ、基地局、お飛びホストコンピュータの例示的な実装を、図１６を参照して説明する。通信システムＱＱ５００では、ホストコンピュータＱＱ５１０は、通信システムＱＱ５００の異なる通信デバイスのインタフェースとの有線又は無線接続をセットアップ及び維持するように構成された通信インタフェースＱＱ５１６を含むハードウェアＱＱ５１５を備える。ホストコンピュータＱＱ５１０は、記憶及び／又は処理能力を有することができる処理回路ＱＱ５１８をさらに備える。特に、処理回路ＱＱ５１８は、命令を実行するように適合された１つ以上のプログラマブルプロセッサ、特定用途向け集積回路、フィールドプログラマブルゲートアレイ、又はこれらの組み合わせ（不図示）を含んでもよい。ホストコンピュータＱＱ５１０はさらに、ホストコンピュータＱＱ５１０に記憶されるか又はアクセス可能なソフトウェアＱＱ５１１を含み、処理回路Ｑ５１８によって実行可能である。ソフトウェアＱＱ５１１には、ホストアプリケーションＱＱ５１２が含まれる。ホストアプリケーションＱＱ５１２は、ＵＥＱＱ５３０及びホストコンピュータＱＱ５１０で終端するＯＴＴ接続Ｑ５５０を介して接続するＵＥＱＱ５３０などのサービスをリモートユーザに提供するように動作可能である。サービスをリモートユーザに提供する際に、ホストアプリケーションＱＱ５１２は、ＯＴＴ接続ＱＱ５５０を使用して送信されるユーザデータを提供することができる。
【０１８８】
通信システムＱＱ５００はさらに、電気通信システム内に設けられ、ホストコンピュータＱＱ５１０及びＵＥQQ５３０と通信することを可能にするハードウェアＱＱ５２５を備える基地局ＱＱ５２０を含む。ハードウェアＱＱ５２５は、通信システムＱＱ５００の異なる通信デバイスのインタフェースとの有線又は無線接続をセットアップ及び維持するための通信インタフェースＱＱ５２６、並びに基地局ＱＱ５２０によってサービスされるカバレッジエリア（図１６には示されていない）内に位置するＵＥ ＱＱ５３０との少なくとも無線接続ＱＱ５７０をセットアップ及び維持するための無線インタフェースＱ５２７を含んでもよい。通信インタフェースＱＱ５２６は、ホストコンピュータＱＱ５１０への接続ＱＱ５６０を容易にするように構成することができる。接続ＱＱ５６０は直接的であってもよく、又は電気通信システムのコアネットワーク（図１６には示されていない）を通過し、及び／又は電気通信システムの外部の１つ以上の中間ネットワークを通過してもよい。図示の実施形態では、基地局ＱＱ５２０のハードウェアＱＱ５２５が１つ以上のプログラマブルプロセッサ、特定用途向け集積回路、フィールドプログラマブルゲートアレイ、又は命令を実行するように適合されたこれら（不図示）の組み合わせを含み得る処理回路Ｑ５２８をさらに含む。基地局ＱＱ５２０はさらに、内部に記憶された、又は外部接続を介してアクセス可能なソフトウェアＱＱ５２１を有する。
【０１８９】
通信システムＱＱ５００は、既に参照したＵＥＱＱ５３０をさらに含む。そのハードウェアＱＱ５３５は、ＵＥ ＱＱ５３０が現在位置するカバレッジエリアにサービスを提供する基地局との無線接続ＱＱ５７０をセットアップし、維持するように構成された無線インタフェースＱＱ５３７を含むことができる。ＵＥ ＱＱ５３０のハードウェアＱ５３５はさらに、１つ以上のプログラマブルプロセッサ、特定用途向け集積回路、フィールドプログラマブルゲートアレイ、又は命令を実行するように適合されたこれら（不図示）の組み合わせを含み得る処理回路Ｑ５３８を含む。ＵＥ ＱＱ５３０はさらに、ソフトウェアＱＱ５３１を含み、これは、ＵＥ ＱＱ５３０に保存されるか、又はそれによってアクセス可能であり、処理回路ＱＱ５３８によって実行可能である。ソフトウェアＱＱ５３１には、クライアントアプリケーションＱＱ５３２が含まれる。クライアントアプリケーションＱＱ５３２はホストコンピュータＱＱ５１０のサポートにより、ＵＥ Ｑ５３０を介して人間又は人間以外のユーザにサービスを提供するように動作可能である。ホストコンピュータＱＱ５１０において、実行中のホストアプリケーションＱＱ５１２は、ＱＱ５３０及びホストコンピュータＱ５１０で終端するＯＴＴ接続ＱＱ５５０を介して、実行中のクライアントアプリケーションＱＱ５３２と通信することができる。サービスをユーザに提供する際に、クライアントアプリケーションＱＱ５３２はホストアプリケーションＱＱ５１２から要求データを受信し、要求データに応答してユーザデータを提供してもよい。ＯＴＴ接続ＱＱ５５０は、要求データ及びユーザデータの両方を転送することができる。クライアントアプリケーションＱＱ５３２は、ユーザと対話して、提供するユーザデータを生成することができる。
【０１９０】
図１６に示すホストコンピュータＱＱ５１０、基地局ＱＱ５２０、及びＵＥＱＱ５３０は、それぞれ、ホストコンピュータＱＱ４３０、基地局ＱＱ４１２ａ、ＱＱ４１２ｂ、ＱＱ４１２ｃのうちの１つ、及び図１５のＵＥ ＱＱ４９１、ＱＱ４９２のうちの１つと類似又は同一とすることができることに留意されたい。即ち、これらのエンティティの内部動作は図１６に示されるようなものであってもよく、独立して、周囲のネットワークトポロジは図１５のものであってもよい。
【０１９１】
図１６では、ＯＴＴ接続Ｑ５５０がいかなる中間デバイスも明示的に参照することなく、基地局ＱＱ５２０を介したホストコンピュータＱＱ５１０とＱＱＵＥ５３０との間の通信、及びこれらの装置を介したメッセージの正確なルーティングを示すために抽象的に描かれている。ネットワークインフラストラクチャはルーティングを決定することができ、これは、ＵＥ ＱＱ５３０から、又はホストコンピュータＱＱ５１０を操作するサービスプロバイダから、又はその両方から隠すように設定することができる。ＯＴＴ接続ＱＱ５５０がアクティブである間、ネットワークインフラストラクチャはルーティングを動的に変更する（例えば、負荷分散の考慮やネットワークの再設定に基づいて）決定をさらに行ってもよい。
【０１９２】
ＵＥ ＱＱ５３０と基地局ＱＱ５２０との間の無線接続ＱＱ５７０は、本開示全体にわたって説明される実施形態の教示に従う。様々な実施形態のうちの１つ以上は、無線接続ＱＱ５７０が最近のセグメントを形成するＯＴＴ接続Ｑ５５０を使用して、ＵＥ ＱＱ５３０に提供されるＯＴＴサービスの性能を改善する。より正確には、これらの実施形態の教示がＵＥのＳＣＧ設定が知られているため、待ち時間を改善することができ、それによって、待ち時間の短縮及び応答性の向上などの利点を提供する。
【０１９３】
１つ以上の実施形態が改善するデータ速度、待ち時間、及び他の要因を監視する目的で、測定手順を提供することができる。さらに、測定結果の変動に応答して、ホストコンピュータＱＱ５１０とＵＥ ＱＱ５３０との間のＯＴＴ接続ＱＱ５５０を再設定するためのオプションのネットワーク機能があってもよい。ＯＴＴ接続ＱＱ５５０を再設定するための測定手順及び／又はネットワーク機能は、ホストコンピュータＱＱ５１０のソフトウェアＱＱ５１１及びハードウェアＱＱ５１５で、又はＵＥＱＱ５３０のソフトウェアＱＱ５３１及びハードウェアＱＱ５３５で、或いはその両方で実施することができる。実施形態ではセンサ（不図示）がＯＴＴ接続ＱＱ５５０を通過する通信デバイスに、又はそれに関連して配備されてもよく、センサは上で例示された監視量の値を供給することによって、又はソフトウェアＱＱ５１１、ＱＱ５３１が監視量を計算又は推定することができる他の物理量の値を供給することによって、測定手順に関与してもよい。ＯＴＴ接続ＱＱ５５０の再設定はメッセージフォーマット、再送信設定、好ましいルーティングなどを含むことができ、再設定は、基地局ＱＱ５２０に影響を及ぼす必要はなく、基地局ＱＱ５２０には知られていないか、又は感知できないことがある。このような手順及び機能は当技術分野で既知であり、実施され得るものである。いくつかの実施形態では、測定がスループット、伝搬時間、待ち時間などのホストコンピュータＱＱ５１０の測定を容易にする独自のＵＥシグナリングを含むことができる。当該測定は、ソフトウェアＱＱ５１１及びＱＱ５３１が伝搬時間、エラーなどを監視しながら、ＯＴＴ接続ＱＱ５５０を使用して、メッセージ、特に空又は「ダミー」メッセージを送信させることによって実施することができる。
【０１９４】
図１７：いくつかの実施形態による、ホストコンピュータ、基地局、及びユーザ装置を含む通信システムにおいて実施される方法を示す。
【０１９５】
図１７は、一実施形態による、通信システムにおいて実施される方法を示すフローチャートである。通信システムは、ホストコンピュータ、基地局、並びに、図１５及び図１６を参照して説明したＵＥを含む。本開示を簡単にするために、図１７に対する図面参照のみがこのセクションに含まれる。ステップＱＱ６１０で、ホストコンピュータはユーザデータを提供する。ステップＱＱ６１０のサブステップＱＱ６１１（オプションでもよい）において、ホストコンピュータは、ホストアプリケーションを実行することによって、ユーザデータを提供する。ステップＱＱ６２０において、ホストコンピュータは、ユーザデータをＵＥに搬送する送信を開始する。ステップＱＱ６３０（オプションであってもよい）において、基地局は、本開示全体にわたって説明される実施形態の教示に従って、ホストコンピュータが開始した送信において搬送されたユーザデータをＵＥに送信する。ステップＱＱ６４０（オプションであってもよい）において、ＵＥは、ホストコンピュータによって実行されるホストアプリケーションに関連するクライアントアプリケーションを実行する。
【０１９６】
図１８：いくつかの実施形態による、ホストコンピュータ、基地局、及びユーザ装置を含む通信システムにおいて実施される方法を示す。
【０１９７】
図１８は、一実施形態による、通信システムにおいて実施される方法を示すフローチャートである。通信システムは、ホストコンピュータ、基地局、並びに、図１５及び図１６を参照して説明したＵＥを含む。本開示を簡単にするために、図１８に対する図面参照のみがこのセクションに含まれる。方法のステップＱＱ７１０において、ホストコンピュータはユーザデータを提供する。任意のサブステップ（不図示）では、ホストコンピュータがホストアプリケーションを実行することによってユーザデータを提供する。ステップＱＱ７２０において、ホストコンピュータは、ユーザデータをＵＥに搬送する送信を開始する。送信は、本開示全体にわたって説明される実施形態の教示に従って、基地局を介して渡されてもよい。ステップＱＱ７３０（オプションであってもよい）において、ＵＥは、送信において搬送されたユーザデータを受信する。
【０１９８】
図１９：いくつかの実施形態による、ホストコンピュータ、基地局、及びユーザ装置を含む通信システムにおいて実施される方法を示す。
【０１９９】
図１９は、一実施形態による、通信システムにおいて実施される方法を示すフローチャートである。通信システムは、ホストコンピュータ、基地局、並びに、図１５及び図１６を参照して説明したＵＥを含む。本開示を簡単にするために、図１９を参照する図面のみがこのセクションに含まれる。ステップＱＱ８１０において（オプションであってもよい）、ＵＥは、ホストコンピュータによって提供される入力データを受信する。追加的に又は代替的に、ステップＱＱ８２０において、ＵＥは、ユーザデータを提供する。ステップＱＱ８２０のサブステップＱＱ８２１（オプションでもよい）において、ＵＥは、クライアントアプリケーションを実行することによって、ユーザデータを提供する。ステップＱＱ８１０のサブステップＱＱ８１１（オプションであってもよい）では、ＵＥがホストコンピュータによって提供された受信入力データに応答してユーザデータを提供するクライアントアプリケーションを実行する。ユーザデータを提供する際に、実行されたクライアントアプリケーションは、ユーザから受け取ったユーザ入力をさらに考慮してもよい。ユーザデータが提供された特定の方法に関わらず、ＵＥは、サブステップＱＱ８３０（オプションであってもよい）において、ユーザデータのホストコンピュータへの送信を開始する。本方法のステップＱＱ８４０において、ホストコンピュータは、本開示全体にわたって説明される実施形態の教示に従って、ＵＥから送信されたユーザデータを受信する。
【０２００】
図２０：いくつかの実施形態による、ホストコンピュータ、基地局、及びユーザ装置を含む通信システムにおいて実施される方法を示す。
【０２０１】
図２０は、一実施形態による、通信システムにおいて実施される方法を示すフローチャートである。通信システムは、ホストコンピュータ、基地局、並びに、図１５及び図１６を参照して説明したＵＥを含む。本開示を簡単にするために、図２０に対する図面参照のみがこのセクションに含まれる。ステップＱＱ９１０（オプションであってもよい）では本開示全体にわたって説明される実施形態の教示に従って、基地局はＵＥからユーザデータを受信する。ステップＱＱ９２０において（オプションであってもよい）、基地局は、受信したユーザデータのホストコンピュータへの送信を開始する。ステップＱＱ９３０（オプションであってもよい）では、ホストコンピュータが基地局によって開始された送信で搬送されるユーザデータを受信する。
【０２０２】
本明細書で開示される任意の適切なステップ、方法、特徴、機能、又は利益は、１つ以上の仮想装置の１つ以上の機能ユニット又はモジュールを介して実行され得る。各仮想装置は、いくつかのこれらの機能ユニットを備えることができる。これらの機能ユニットは、１つ以上のマイクロプロセッサ又はマイクロコントローラを含むことができる処理回路、並びにデジタルシグナルプロセッサ（ＤＳＰ）、専用デジタルロジックを含むことができる他のデジタルハードウェアを介して実装することができる。処理回路は、読み出し専用メモリ（ＲＯＭ）、ランダムアクセスメモリ（ＲＡＭ）、キャッシュメモリ、フラッシュメモリデバイス、光記憶デバイスなどの１つ以上のタイプのメモリを含むことができ、メモリに格納されたプログラムコードを実行するように設定することができる。メモリに格納されたプログラムコードは、１つ以上の電気通信及び／又はデータ通信プロトコルを実行するためのプログラム命令、並びに本明細書で説明される技法のうちの１つ以上を実行するための命令を含む。いくつかの実装形態では、処理回路がそれぞれの機能ユニット又は回路に、本開示の１つ以上の実施形態による対応する機能を行わせるために使用されてもよい。
【０２０３】
開示された実施形態の修正および他の実施形態は、前述の説明および関連する図面に提示された教示の利益を有する当業者には認識されるであろう。したがって、実施形態は開示された特定の実施形態に限定されるべきではなく、修正及び他の実施形態は本開示の範囲内に含まれることが意図されることを理解されたい。本明細書では特定の用語を使用することができるが、それらは一般的かつ説明的な意味でのみ使用され、限定を目的とするものではない。
【０２０４】
＜略語＞
本開示では、以下の略語の少なくともいくつかを使用しうる。略語間に不一致がある場合、それが上記でどのように使用されるかが優先されるべきである。以下に複数回列挙される場合、最初の列挙は、その後の任意の列挙よりも優先されるべきである。
ＡＣＫ  確認応答
ＡＰ  アプリケーションプロトコル
ＢＳＲ  バッファ状態レポート
ＣＥ  制御要素
ＣＰ  制御プレーン
ＤＣ  デュアルコネクティビティ
ＤＣＩ  ダウンリンク制御情報
ＤＬダウンリンク
ＤＲＢ  データ無線ベアラ
ｅＮＢ  （ＥＵＴＲＡＮ）基地局
Ｅ−ＲＡＢ  ＥＵＴＲＡＮ無線アクセスベアラ
ＦＤＤ  周波数分割デュプレックス
ｇＮＢ  ＮＲ基地局
ＧＴＰ−Ｕ  ＧＰＲＳトンネリングプロトコル−ユーザプレーン
ＩＰ  インターネットプロトコル
ＬＴＥ  ロングタームエボリューション
ＭＣＧ  マスタセルグループ
ＭＡＣ  媒体アクセス制御
ＭｅＮＢ  マスタｅＮＢ
ＭｇＮＢ  マスタｇＮＢ
ＭＮ  マスタノード
ＮＡＣＫ  否定応答
ＮＲ  新たな無線
ＰＤＣＰ  パケットデータ収束プロトコル
ＰＵＳＣＨ  物理アップリンク共有チャネル
ＲＬＣ  無線リンク制御
ＲＬＦ  無線リンク障害
ＲＲＣ  無線リソース制御
ＳＣＧ  セカンダリセルグループ
ＳＣＴＰ  ストリーム制御伝送プロトコル
ＳｅＮＢ  セカンダリｅＮＢ
Ｓ−ＳｇＮＢ  電源セカンダリｇＮＢ
ＳｇＮＢ  セカンダリｇＮＢ
ＳＮ  セカンダリノード
Ｓ−ＳＮ  電源セカンダリノード
ＳＲ  スケジューリング要求
ＳＲＢ  シグナリング無線ベアラ
ＴＤＤ  時分割二重
ＴＥＩＤ  トンネルエンドポイント識別情報
ＴＮＬ  トランスポートネットワーク層
Ｔ−ＳｇＮＢ  ターゲットセカンダリｇＮＢ
Ｔ−ＳＮ  ターゲットセカンダリノード
ＵＣＩ  アップリンク制御情報
ＵＤＰ  ユーザデータグラムプロトコル
ＵＥ  ユーザ装置
ＵＬ  アップリンク
ＵＰ  ユーザプレーン
ＵＲＬＬＣ  超高信頼低レイテンシー通信
Ｘ２  基地局間インタフェース
【図１】
2021502734.tif 000003
【図２】
2021502734.tif 000004
【図３】
2021502734.tif 000005
【図４】
2021502734.tif 000006
【図５ａ】
2021502734.tif 000007
【図５ｂ】
2021502734.tif 000008
【図５ｃ】
2021502734.tif 000009
【図５ｄ】
2021502734.tif 000010
【図６】
2021502734.tif 000011
【図７】
2021502734.tif 000012
【図８】
2021502734.tif 000013
【図９】
2021502734.tif 000014
【図１０】
2021502734.tif 000015
【図１１】
2021502734.tif 000016
【図１２】
2021502734.tif 000017
【図１３】
2021502734.tif 000018
【図１４】
2021502734.tif 000019
【図１５】
2021502734.tif 000020
【図１６】
2021502734.tif 000021
【図１７】
2021502734.tif 000022
【図１８】
2021502734.tif 000023
【図１９】
2021502734.tif 000024
【図２０】
2021502734.tif 000025
【国際調査報告】
2021502734.tif 000026
2021502734.tif 000027
2021502734.tif 000028
2021502734.tif 000029
2021502734.tif 000030
2021502734.tif 000031
2021502734.tif 000032